(57)【要約】【課題】消火栓装置を路面から簡単且つ容易に取り扱うことができ、且つ点検等の際に車両の通行規制を必要としない。【解決手段】トンネル壁面１２に沿った監視員通路１４の下部に消火栓収納部２０を形成し、消火栓装置１８を設置する。消火栓装置１８は道路に面した前面開口に開閉自在なスクリーン扉を設けると共に筐体の裏面開口に開閉自在な点検扉（スクリーン扉）を設ける。消火栓収納部２０に設置した消火栓装置１８の背後に点検作業スペース２２を形成し、監視員通路１４の出入口２４から点検作業スペース２２に入り、消火栓装置１８の裏面の点検扉を開いて点検作業を行う。【選択図】図１
2020099756.tif 000002
【特許請求の範囲】
【請求項１】
壁面の開口部に設置された消火栓装置であって、
前記設置された状態で前記壁面と対向する側の面に点検用開口部を有することを特徴とする消火栓装置。
【請求項２】
請求項１記載の消火栓装置に於いて、
前記点検用開口部に対向する面に扉用開口部を有し、
前記扉用開口部に開閉自在な扉を備えたことを特徴とする消火栓装置。
【発明の詳細な説明】
【技術分野】
【０００１】
本発明は、収納したノズル付きのホースを引き出して放水する消火栓装置に関する。
【背景技術】
【０００２】
従来、高速道路や自動車専用道路などのトンネル内に設置する消火栓装置は、開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００３】
このような消火栓装置は、トンネル内に設けた監視員通路に面した側壁に沿って例えば５０メートル間隔で設置している。監視員通路は路面に対し１メートル程度高くした側壁通路として設け、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００５】
【特許文献１】特開２００８−０５５０２４号公報
【特許文献２】特開２００９−２８５１２６号公報
【特許文献３】欧州特許出願公開第１２２４９５４号明細書
【特許文献４】特開２００３−１９０３１５号公報
【特許文献５】特開平０８−０８０３５８号公報
【特許文献６】実開平０４−０５１９６４号公報
【発明の概要】
【発明が解決しようとする課題】
【０００６】
しかしながら、このような従来のトンネル内に設置した消火栓装置にあっては、監視員通路に面した側壁に沿って設置していたため、車両事故の発生時に利用者は、路面から監視員通路の側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００７】
この問題を解決するためには、消火栓装置をトンネル内の道路に面した側壁に沿って設置すればよいが、路面に面した側壁に設置した場合には、消火栓扉を開いて消火栓装置を点検する場合に、開放した消火栓扉が道路側に飛び出すため、トンネル内の車両通行を規制しながら点検作業をしなければならないという不都合がある。
【０００８】
本発明は、路面から簡単且つ容易に取り扱うことができ、且つ点検等の際にも車両の通行規制を必要しない消火栓装置を提供することを目的とする。
【課題を解決するための手段】
【０００９】
本発明は、壁面の開口部に設置された消火栓装置であって、
設置された状態で壁面と対向する側の面に点検用開口部を有することを特徴とする。
【００１０】
また、点検用開口部に対向する面に扉用開口部を有し、
扉用開口部に開閉自在な扉を備える。
【発明の効果】
【００１１】
［消火栓装置の効果］
本発明は、消火栓装置に於いて、トンネル側壁に沿って設けた監視員通路に形成され、道路側に取付口を開口した消火栓収納部と、消火栓収部に設置され、ノズル付きホースを収納した筐体の道路に面した前面開口に開閉自在な消火栓扉を設けると共に筐体の裏面開口に開閉自在な点検扉を設けた消火栓装置とを設けるようにしたため、消火栓装置は路面に直接面していることから、火災を伴う車両事故の発生時に、事故車両の運転者等の利用者は、路面から手近にある消火栓扉を開き、ノズル付きホースを引き出して消火を行うことができ、従来の監視員通路の上となるトンネル側壁に設置した消火栓装置に比べ、監視員通路に妨げられることなく消火栓装置を簡単且つ容易に操作することができ、迅速且つ確実に消火作業を行うことを可能とする。
【００１２】
また、消火栓装置を監視員通路に沿ったトンネル側壁に設置せずに、監視員通路の路面側の側壁に設置したことで、消火栓装置から引き出したホースが監視員通路を塞ぐことがないため避難の妨げとならず、迅速且つ安全な避難行動を可能とする。
【００１３】
（消火栓装置背後の点検作業スペースによる効果）
また、消火栓収納部は、消火栓装置を設置した状態でその背後に点検作業スペースを形成し、監視員通路に点検作業スペースに対する出入口を設けるようにしたため、消火栓装置の点検を行う場合には、点検員は監視員通路側に設けた出入口から消火栓装置の背後の点検作業スペースに入り、消火栓装置の裏面に設けた点検扉を開いて必要な点検作業を行うことができ、消火栓装置が面している道路側から消火栓扉を開いて点検作業をする必要がなく、従来の監視員通路の上となるトンネル側壁に設置していた場合と同様に、トンネル内の車両通行の規制を必要とすることなく、消火栓装置の点検作業を可能とする。
【００１４】
また、点検作業スペースの出入口に、開閉自在な格子蓋を設けるようにしたため、消火栓装置の点検作業を行う場合に、出入口の場所が直ぐに分かり、また、格子蓋であることから点検作業スペースの外部との換気が常に行われ、滞留ガス等による作業の危険性を解消可能とする。
【００１５】
また、点検作業スペースが狭い場合には、監視員通路に設けた格子蓋を開き、点検作業スペースの外から手を入れて必要な点検作業を行うことを可能とする。
【００１６】
（裏面開口からの消火栓扉の開操作による効果）
また、点検扉を開いて裏面開口からの操作により消火栓扉の保持を解除して開放する操作機構を設けるようにしたため、点検の際に、裏面開口から前面開口の消火栓扉を開操作して、消火栓扉の動きを点検可能とする。
【００１７】
（消火栓扉及び点検扉としてのスクリーン扉による効果）
また、消火栓装置の消火栓扉及び点検扉は、両側を開口枠の内側に位置させた状態でスクリーンを展開して保持することにより開口を覆って閉鎖し、スクリーンの保持を解除することによりスクリーンを折り畳んで開口を開放するスクリーン扉としたため、スクリーンを開放した場合、スクリーンは開口内側の筐体内に折り畳んだ状態となり、スクリーンの折畳み部分が外側に飛び出さないことから、消火栓装置を路面に直接面して設置していても、スクリーン扉の開放によりトンネル内の車両通行を妨げることがなく、また、スクリーンを開放した状態で行うホース引出し等の消火操作を、スクリーンの折畳み部分により妨げられることがなく容易に行うことを可能とする。
【００１８】
一方、点検作業のために消火栓装置の背後の点検作業スペースに点検員が入って点検扉として機能するスクリーン扉を開くと、消火栓装置の裏面開口が開放し、消火栓装置の内部に設置しているノズル付きホース、消火栓弁等の機器の点検を行うことが可能となる。この場合、点検のために開放したスクリーンは、裏面開口の内側の筐体内に折り畳んだ状態となり、スクリーンの折畳み部分が点検作業スペースに飛び出さないことから、開放したスクリーンは点検の邪魔になることはなく、スペース的に制約された点検作業スペースを有効に利用可能とする。
【００１９】
また、点検の際には、前面開口に設けている消火栓扉として機能するスクリーン扉を開放する点検作業を行うが、前面開口のスクリーン扉を開いても路面へのスクリーンの飛び出しはなく、トンネル内の車両通行を妨げることなく安全にスクリーン扉の開閉動作を確認可能とする。
【００２０】
（保守扉とスクリーン扉）
また、消火栓装置は、筐体の前面開口の上側となる上部開口に、上側を軸として上向きに開閉自在な保守扉を設け、前面開口の下側となる下部開口に消火栓扉を設け、消火栓扉は、両側を開口枠の内側に位置させた状態でスクリーンを展開して保持することにより下部開口を覆って閉鎖し、スクリーンの保持を解除することによりスクリーンを折り畳んで下部開口を開放するスクリーン扉とするようにしたため、消火栓装置を路面に直接面して設置していても、スクリーン扉を開くと利用者の消火作業に必要なノズル付きホースや消火栓弁操作レバーが露出し、一方、消防隊が給水栓を使用するために開く保守扉は閉じているため、利用者は混乱することなく、確実に消火栓装置を使用した消火作業が可能となる。
【００２１】
また、消火栓装置は路面に直接面しているため、消防隊員が保守扉を開いて給水栓に消防ホースを連結して行う放水作業も簡単且つ容易となり、迅速な消防活動を可能とする。
【００２２】
（消火栓扉としてのスクリーン扉とそれ以外の構造の点検扉の効果）
また、消火栓扉は、両側を開口枠の内側に位置させた状態でスクリーンを展開して保持することにより前面開口を覆って閉鎖し、スクリーンの保持を解除することによりスクリーンを折り畳んで前面開口を開放するスクリーン扉とし、点検扉は、横開きの扉、カーテン扉又は取外し自在なパネル部材とすることで、スクリーン扉に比べ点検扉の構造を簡単にしてコストを低減可能とする。
【００２３】
（スクリーンの折畳み収納部）
また、筐体は、下部横方向に仕切板を配置して下側にスクリーンを折り畳み状態に収納するスクリーン収納部を形成し、仕切板の上側にホース収納部及び消火栓弁を含むバルブ類収納部を形成するようにしたため、消火栓装置内に設置しているノズル付きホースや消火栓弁を含むバルブ類の設置に影響されることなく、開放したスクリーンを筐体内に折り畳み状態に収納して外側への飛び出しを無くすことを可能とする。
【００２４】
（消火器筐体の連設による効果）
また、消火器を収納する消火器筐体を筐体に連設し、消火器筐体の道路に面した前面開口に開閉自在な消火器扉を設けると共に筐体の裏面開口に開閉自在な点検扉を設けるようにしたため、消火器扉も路面に直接面していることから、火災を伴う車両事故の発生時に、事故車両の運転者等の利用者は、路面側から消火器扉を開き、内部に収納している消火器を取り出して消火作業を行うことが可能となり、従来の監視員通路の上となるトンネル側壁に設置した場合に比べ、監視員通路に妨げられることなく消火器扉に手近にあるので、簡単且つ容易に消火器を取り出して迅速且つ確実な消火作業を行うことを可能とする。
【００２５】
また、定期的に消火器の点検を行う場合には、監視員通路側に設けた出入口から消火栓装置の背後の点検作業スペースに入り、裏面に設けた点検扉を開いて消火器の点検や交換といった作業を行うことができ、消火栓装置が面している道路側から消火器扉を開いて作業をする必要がなく、従来の監視員通路の上となるトンネル側壁に設置していた場合と同様に、トンネル内の車両通行の規制を必要とすることなく、消火器の点検や交換等の作業を可能とする。
【００２６】
（消火器扉としてのスクリーン扉の効果）
また、消火器扉及び点検扉は、両側を開口枠の内側に位置させた状態でスクリーンを展開して保持することにより開口を覆って閉鎖し、スクリーンの保持を解除することによりスクリーンを折り畳んで開口を開放するスクリーン扉としたため、スクリーンを開放した場合、スクリーンは開口内側の筐体内に折り畳んだ状態となり、スクリーンの折畳み部分が全く外側に飛び出さないことから、トンネル内の車両通行を妨げることがなく、また、スクリーンを開放した状態で行う消火器の取出しを、スクリーンの折畳み部分により妨げられることがなく容易に行うことを可能とする。
【００２７】
（消火器扉としてのスクリーン扉とそれ以外の構造の点検扉による効果）
また、消火器扉は、両側を開口枠の内側に位置させた状態でスクリーンを展開して保持することにより前面開口を覆って閉鎖し、スクリーンの保持を解除することによりスクリーンを折り畳んで前面開口を開放するスクリーン扉とし、点検扉は、横開きの扉、カーテン扉又は取外し自在な蓋部材とすることで、スクリーン扉に比べ点検扉の構造を簡単にしてコストを低減可能とする。
【００２８】
（スクリーンの折畳み収納部による効果）
また、消火器筐体は、下部横方向に仕切板を配置して下側にスクリーンを折り畳み状態に収納するスクリーン収納部を形成し、仕切板の上側に消火器収納部を形成するようにしたため、消火器の設置に影響されることなく、開放したスクリーンを筐体内に折り畳み状態に収納して外側への飛び出しを無くすことを可能とする。
【００２９】
（スクリーンの上方向、左右方向の折畳みによる効果）
また、スクリーン扉は、展開状態で開口を覆って閉鎖したスクリーンを上方向、右方向又は左方向に折り畳んで開放する構造とすることで、必要に応じてスクリーンを適宜の方向に開放可能とする。
【００３０】
（筐体とスクリーン扉の分割構造による効果）
また、筐体に対しスクリーン扉を分割し、筐体の開口にスクリーン扉を取外し自在に設けるようにしたため、組立製造段階で筐体とスクリーン扉を個別に製造し、最終的に、筐体の開口にスクリーン扉を組付け固定することで、消火栓装置を完成することができ、製造組立が容易で生産性が高く、製造コストも低減可能とする。
【００３１】
また、設置後に道路に面したスクリーンが汚れたり損傷した場合には、汚れたり損傷したスクリーン扉を筐体から外し、別途準備したスクリーン扉に交換することで、簡単且つ容易に修復可能とする。
【００３２】
（スクリーン扉の構造による効果）
また、スクリーン扉は、筐体の開口に取付け固定する扉枠と、スクリーンの裏面の上下両端及びその間に所定間隔で配置した複数本のガイドバー部材と、スクリーンの裏面に配置したガイドバー部材の間に配置した複数本のウェイトバー部材と、扉枠の左右両側の開口枠の内側に配置され、スクリーンの左右両側を開口枠の内側に位置させた状態で、ガイドバー部材の左右両端をガイド溝に摺接して上下方向に案内移動させる第１ガイドレールと、第１ガイドレールの内側に配置され、ウェイトバー部材の両端を摺接して奥行方向への動きを規制すると共に上下方向に案内移動させる第２ガイドレールと、スクリーンの上端のガイドバー部材を保持することでスクリーンを展開した閉鎖状態に保持し、所定の操作により上端のガイドバー部材の保持を解除してスクリーンを折り畳んで開放状態とするスクリーン開閉機構とを備えるようにしたため、スクリーンの展開状態でスクリーン上端のガイドバー部材の保持を解除して第１ガイドレールに沿ってガイドバー部材を落下させると、スクリーンの両端側は開口枠の内側に位置していることから、ガイドバー部材はその間のスクリーン部分を内側に湾曲しながら落下するようになり、これによりスクリーンを開口下部の内側に折り畳んで開放した状態とし、スクリーン折畳み部分が全く外側に飛び出さないことから、ホース引出し等の消火操作や点検作業がスクリーンの折畳み部分により妨げられることがなく、容易に行うことを可能とする。
【００３３】
また、スクリーンの保持を解除し、ガイドバー部材を第１ガイドレールに沿って落下させる場合、ガイドバー部材の落下に伴うその間のスクリーン部分の内側への湾曲を、ガイドバー部材の間に設けたウェイトバー部材の重みで付勢し、ガイドバー部材の落下に伴い、その間のスクリーン部分の内側への畳み込みを円滑に行うことを可能とする。
【００３４】
また、スクリーンの裏面に配置した複数のガイドバー部材の間にウェイトバー部材を配置し、ウェイトバー部材の両端の奥行方向の動きを規制するように第２ガイドレールに当てることで、展開状態に開いたスクリーンにウェイトバー部材の重みにより張り（テンション）を与え、また、ウェイトバー部材の奥行方向への動きを規制することで、展開状態にあるスクリーンの平坦性を高め、従来の横開きする金属製の消火栓扉と同等の質感を出すことを可能とする。
【００３５】
（ガイドバー部材とウェイトバー部材の間隔による効果）
また、スクリーン扉において、スクリーンの裏面に配置したウェイトバー部材とその上側に隣接して配置したガイドバー部材との間隔（Ｌ１）に対し、ウェイトバー部材とその下側に隣接して配置したガイドバー部材との間隔（Ｌ２）を短くするようにしたため（Ｌ１＞Ｌ２）、ウェイトバー部材がガイドバー部材の中央ではなく、若干下側にオフセットした位置に配置され、ガイドバー部材の落下に伴いその間のスクリーン部分が内側への湾曲を始めると、ウェイトバー部材は中央より若干下側に配置していることで、その重みによりスクリーンの湾曲を更に強く付勢し、スクリーンの畳み込みを更に円滑に行うことを可能とする。
【００３６】
（上下端のガイドバー部材による効果）
また、スクリーン扉において、スクリーンの裏面に配置した複数のガイドバー部材は矩形断面をもつ板状のバー部材であり、複数のガイドバー部材の内の上下端に配置したガイドバー部材は両端に設けたローラを第１ガイドレールのガイド溝に収納して回転自在に支持し、上下端の間に配置したガイドバー部材は両端を第１ガイドレールのガイド溝に回転しないように収納するようにしたため、下端のガイドバーはスクリーンの落下に伴い内側に回転し、スクリーンを扉内側に確実に折り畳み可能とする。
【００３７】
また、上端のガイドバー部材にはスクリーン開閉に使用するバックル金具を設けているが、スクリーンの保持解除により落下して開口下部の内側に折り畳み状態となった場合、上端のガイドバー部材は外側に回転してバックル金具を横向きに倒し、バックル金具が上向きに飛び出してホース引出しの邪魔になることを未然に防止可能とする。
【００３８】
（ウェイトバー部材のガイドレール終端による効果）
また、第２ガイドレールは、スクリーンを展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、スクリーンを展開した状態でガイドレール終端を外れた下側に位置するウェイトバー部材の両端の奥行方向への動きを規制する張出片を扉枠の内側両端に設けるようにしたため、ウェイトバー部材の上下方向の動きを案内する第２ガイドバー部材の下側が途中で終端していることで、落下したスクリーンの内側への畳み込みを滑らかに行うことを可能とする。
【００３９】
また、スクリーンを展開した状態で、ガイドレール終端を外れた下側に位置するウェイトバー部材はフリー状態となるが、フリー状態にあるウェイトバー部材の動きを扉枠の内側両端に設けた張出片に当接することで、展開状態にあるスクリーンの平坦性を高めることを可能とする。
【００４０】
また、扉開口の下部内側に折り畳み状態にあるスクリーンを引き上げてフラットな閉鎖状態に展開する場合、扉開口の下部内側に折り畳まれているスクリーンに設けたウェイトバー部材の両側を、第２ガイドレール終端から内側に延在した湾曲ガイドレールに沿って第２ガイドレールに案内移動し、畳み込み状態となっているスクリーンを円滑にフラットに展開して扉開口を閉鎖可能とする。
【００４１】
（スクリーン開閉機構の効果）
また、スクリーン扉に設けたスクリーン開閉機構は、スクリーンの上端のガイドバー部材に上向きにバックル金具（尾錠金具）を設けると共に扉枠の上部の開口枠にバックル装置（尾錠装置）を設け、バックル金具をバックル装置に挿入して保持することでスクリーンを展開した閉鎖状態に保持し、バックル装置の所定の操作によりバックル金具の保持を解除してスクリーンを折り畳んで開放状態とするようにしたため、バックル装置の例えば操作レバーを手前に引く操作により、バックル金具の保持を解除して展開したスクリーンを落下させて簡単且つ確実にスクリーンを開放して消火活動や点検作業を行うことを可能とする。
【００４２】
また、スクリーン開閉機構は、スクリーンを展開した閉鎖状態に保持するマグネットの吸着を解除してスクリーンを折り畳んで開放状態とするようにしても良い。また、スクリーンを展開した閉鎖状態の保持を押し釦の操作により解除してスクリーンを折り畳んで開放状態とするようにしても良く、閉鎖状態に展開したスクリーンの保持を簡単な操作で解除することで、確実にスクリーンを開放して消火活動や点検作業を行うことを可能とする。
【００４３】
（スクリーン扉の点検操作機構による効果）
また、スクリーン開閉機構は、スクリーンの保持を解除してスクリーンを開放する点検操作機構を備えるようにしたため、消火栓装置を点検する場合に裏面開口の点検扉を開き、裏面開口側からの操作で、スクリーンの保持を解錠して折畳み状態に開放する点検操作を可能とする。
【００４４】
（両面からのホース取出しによる効果）
また、消火栓装置は、前面開口及び裏面開口からノズル付きホースを取出し自在に収納するようにしたため、火災時には前面開口からノズル付きをホースを引き出して消火活動を行い、点検時には裏面開口からノズル付きホースを引き出してホース点検を行うことを可能とする。
【００４５】
また、トンネル内で火災を伴う車両事故が発生し、消火栓装置の前に車両が停止していて操作できない場合には、監視員通路の格子扉を開いて点検作業スペースに入り、裏側の点検扉を開いてホースを引き出して消火活動を行うことを可能とする。
【図面の簡単な説明】
【００４６】
【図１】トンネル内に設置した消火栓装置を含む非常設備を示した説明図
【図２】監視員通路の側壁に設置した消火栓装置を示した説明図
【図３】監視員通路の下に形成した消火栓収納部を示した説明図
【図４】監視員通路の下に形成した消火栓収納部を示した断面図
【図５】消火栓装置を正面から示した説明図
【図６】消火栓扉及び消火器扉として機能するスクリーン扉を開放した状態を正面から示した説明図
【図７】消火栓装置を裏側から示した説明図
【図８】点検扉として機能するスクリーン扉を開放した状態を裏側から示した説明図
【図９】スクリーン扉を開放した状態をホース収納部の横断面により示した断面図
【図１０】消火栓装置の平面から示した説明図
【図１１】消火栓装置の前面開口及び裏面開口に対するスクリーン扉の分割構造による組立分解を示した説明図
【図１２】消火栓装置の筐体構造と収納機器を平面断面により示した説明図
【図１３】消火栓装置の筐体構造とバルブ類収納構造を横断面により示した断面図
【図１４】消火栓装置の筐体分割構造とホース収納構造を示した斜視図
【図１５】スクリーン扉を取り出して示した説明図
【図１６】スクリーン扉をスクリーン開放状態として裏側から示した斜視図
【図１７】スクリーンを取り出して裏側から示した説明図
【図１８】スクリーン上部のガイド構造を部分的に取り出して示した説明図
【図１９】スクリーン下部のガイド構造を部分的に取り出して示した説明図
【図２０】開放操作によりスクリーンが下降して開放するまでの動きを取り出して模式的に示した説明図
【図２１】消火栓扉として機能するスクリーン扉の点検操作機構を示した説明図
【図２２】点検操作機構により裏側から操作するバックル装置の扉枠に対する取付構造を示した組立分解図
【図２３】消火栓扉として機能するスクリーン扉の上に保守扉を設けた消火栓装置をスクリーン開放状態として正面から示した説明図
【図２４】裏面に点検扉として横開き扉を設けた消火栓装置を示した説明図
【図２５】裏面に点検扉として横開きのカーテン扉を設けた消火栓装置を示した説明図
【図２６】裏面に点検扉としてパネル部材を設けた消火栓装置を示した説明図
【発明を実施するための形態】
【００４７】
［トンネル内消火設備の概要］
図１はトンネル内に設置した消火栓装置を含む非常設備を示した説明図である。図１に示すように、トンネル１０内には蒲鉾状のトンネル壁面１２により覆われた道路１６を設けられており、この例にあっては、道路１６は１方向２車線としている。
【００４８】
道路１６の左側のトンネル壁面１２に沿って監視員通路１４を設けており、監視員通路１４の道路１６側の側壁１４ａに消火栓装置１８を設置している。消火栓装置１８はトンネル長手方向の５０メートルおきに設置する。
【００４９】
監視員通路１４の下は空洞となっており、この空洞を利用して道路１６に面した側壁１４ａに取付口を開口することで消火栓収納部２０を形成し、消火栓収納部２０に道路１６側の取付口から消火栓装置１８を組込み設置している。
【００５０】
消火栓装置１８の背後は点検作業スペース２２となり、この点検作業スペース２２に対し上部となる監視員通路１４に出入口２４を設け、消火栓装置１８を点検する場合に点検員の出入りを可能とし、通常時は、出入口２４には例えば格子蓋により閉鎖している。
【００５１】
また、監視員通路１４の下の空洞の奥には給水本管２６や電線管４０等を敷設したダク
ト３８をトンネル長手方向に形成しており、この例では、ダクト３８は監視員通路１４の下の空洞の一部となっている。
【００５２】
また、監視員通路１４に沿ったトンネル壁面１２には自動弁装置２８を設けており、自動弁装置２８は、トンネル壁面１２の上部に設置された配管から取り出された水噴霧ヘッド３０に対し加圧消火用水を供給する装置であり、トンネル長手方向の５０メートルを放水区画として、各放水区画ごとに自動弁装置２８を設置している。
【００５３】
また、トンネル壁面１２の天井側の両側には、トンネル長手方向に沿って照明灯具３２を一定間隔で配置している。
【００５４】
（消火栓装置の設置構造）
図２は監視員通路の側壁に設置した消火栓装置を示した説明図であり、図２（Ａ）に正面を示し、図２（Ｂ）に平面を示す。図３は監視員通路の下に形成した消火栓収納部を示した説明図であり、図３（Ａ）に一部断面とした正面を示し、図３（Ｂ）に平面から見た断面を示す。図４は監視員通路の下に形成した消火栓収納部に対する消火栓装置の設置状態を示した断面図である。
【００５５】
図２乃至図４に示すように、トンネル壁面１２の長手方向に、所定長さのコンクリートブロックにより作られた側壁１４ａを連続して配置し、その上にコンクリート製の路面板を並べて載せることで監視員通路１４を構築しており、監視員通路１４の下には空洞が形成されている。また、側壁１４ａの上部には手摺り１５を設けている。
【００５６】
監視員通路１４の側壁１４ａには、５０メートル間隔で道路１６側に取付口３６を開口した消火栓収納部２０を形成し、そこに前面が道路１６の路面に直接面するように消火栓装置１８を設置している。
【００５７】
また、監視員通路１４の下の空洞の奥にはダクト３８を形成しており、ダクト３８に給水本管２６や電線管４０等を敷設し、給水本管２６からは給水管３５を分岐して消火栓装置１８に接続している。
【００５８】
消火栓装置１８の裏側の空洞は点検作業スペース２２となり、点検作業スペース２２の上となる監視員通路１４の部分に出入口２４を設け、出入口２４は開閉自在な格子蓋３４により閉鎖しており、消火栓装置１８を点検する場合には想像線で示す格子蓋３４ａのように開いて出入口２４から点検員が点検作業スペース２２の中に入り、消火栓装置１８を背後から点検する。
【００５９】
このため消火栓装置１８の筐体は前面及び裏面の両方に開口しており、前面開口には消火栓扉として機能するスクリーン扉を設け、また裏面開口には点検扉として機能する点検用スクリーン扉を設けている。これにより点検作業スペース２２に入った点検員は、消火栓装置１８の裏面開口に設けた点検用スクリーン扉を開き、筐体内部に設置しているノズル付きホースや消火栓弁を含むバルブ類等の点検を可能とする。
【００６０】
なお、図１乃至図４に示した監視員通路１４及びダクト３８の構造は一例であり、監視員通路の下の空洞と給水本管や電線管を敷設するダクトが別々に仕切られている場合もあるが、少なくとも監視員通路の下側に消火栓装置１８を設置するとともにその背後に点検作業スペースを形成可能なトンネル構造であれば良い。
【００６１】
なお、トンネル構造によっては、点検員が入るに十分な点検作業スペース２２を確保できない場合があるが、その場合には、監視員通路１４に設けた格子蓋３４を開き、点検作業スペース２２の外から点検員が手を入れて必要な点検作業を行うようにすれば良い。この場合には、格子蓋３４を設けている出入口２４に相当する開口を、外部からの点検作業が容易できるように十分な大きさとする。
【００６２】
［消火栓装置の構成］
（消火栓装置の前面構造）
図５は消火栓装置を正面から示した説明図、図６は消火栓扉及び消火器扉として機能するスクリーン扉を開放した状態を正面から示した説明図である。
【００６３】
図５に示すように、消火栓装置１８は、消火栓筐体４２と消火器筐体４４を分割した構造であり、消火栓筐体４２の前面開口に消火栓扉として機能するスクリーン扉５４を配置し、また、消火器筐体４４の前面開口に消火器扉として機能するスクリーン扉５６を配置している。
【００６４】
消火栓筐体４２の前面開口に設けたスクリーン扉５４は、両側を扉枠４６の内側に位置させた状態でスクリーンを展開してバックル装置５８で保持することにより扉開口４８を覆って閉鎖し、バックル装置５８のレバー操作によりスクリーンの保持を解除することにより、スクリーンを落下させ、扉開口４８を開放する。
【００６５】
また、消火器筐体４４の前面開口に設けたスクリーン扉５６は、両側を扉枠５０の内側に位置させた状態でスクリーンを展開してバックル装置６０で保持することにより扉開口５２を覆って閉鎖し、バックル装置６０のレバー操作によりスクリーンの保持を解除することにより、スクリーンを落下させ、扉開口５２を開放する。
【００６６】
左右に設けたスクリーン扉５４，５６の間には通報装置扉６２を設け、ここに赤色表示灯６４、発信機６６及び応答ランプ６８を設け、また通報装置扉６２の内側には電話ジャックを設けている。
【００６７】
赤色表示灯６４は常時点灯し、消火栓装置１８の設置場所が遠方から分かるようにしている。火災時には、発信機６６を押して押し釦スイッチをオンすると、発信信号が監視室の火災受信機に送信されて火災警報が出され、これに伴い応答信号が火災受信機から送られて、応答ランプ６８を点灯する。
【００６８】
図５に示す消火栓筐体４２に設けたスクリーン扉５４の閉鎖状態でバックル装置５８のレバーを操作してスクリーンの保持を解除すると、図６に示すように、スクリーンが落下して仕切板７５の下の折畳み部に入って内側に折り畳まれ、スクリーン扉５４が開放する。
【００６９】
消火栓筐体４２の仕切板７５の上部にはホース収納部７０及びバルブ類収納部７２を設けている。ホース収納部７０にはホースバケット構造７６を設け、ホースバケット構造７６は、バケットフレームの中央から右側にオフセットした位置、即ち扉開口４８の左右方向における略中央となる位置に、ホース取出口７８を仕切り形成するように、水平方向の２本のバケットフレームと縦方向の２本のホースガイドを配置し、ホース取出口７８の下側には、前方に張出し形成した張出ホースガイド１１３を設け、更に、ホース取出口７８の右側に取付板８１を配置している。
【００７０】
ホースバケット構造７６、仕切板７５及び筐体内壁で囲まれたホース収納部７０にはホース８０を内巻きして収納している。ここで、ホース収納部７０へのホース８０の巻き込みは、正面から見て右巻きとなるようにホース８０を巻き込んでいる。
【００７１】
ホース取出口７８及び張出ホースガイド１１３は、ホース８０を引き出す際に内巻きしているホース８０が崩れたり、扉開口４８に擦れてホース８０が損傷したり折れたりすることを防ぐ。特に、張出ホースガイド１１３はホース８０を左方向に引き出す際のホースの急激な折れ曲がりを緩和して滑らかな引き出しを可能とする。
【００７２】
ホース８０の先端にはノズル８２を装着し、ノズル８２は放水部とハンドルで構成しており、取付板８１に設けたホルダ８４に着脱自在に保持している。
【００７３】
ホース収納部７０の右側に形成したバルブ類収納部７２には、ポンプ設備からの配管を接続する配管接続口８５からホース８０に至る配管系統に、給水弁８６、消火栓弁８７、自動調圧弁８８、自動排水弁８９及びメンテナンス装置９０を設けている。このうち消火栓弁８７は消火栓弁開閉レバー９２により開閉操作できるようにしている。また、給水弁８６の手前には消防隊員が使用するポンプ起動釦９１を設けている。
【００７４】
また、図５に示す消火器筐体４４に設けたスクリーン扉５６の閉鎖状態でバックル装置６０のレバーを操作してスクリーンの保持を解除すると、図６に示すように、スクリーンが落下して仕切板７７の下の折畳み部に入って内側に折り畳まれ、スクリーン扉５６が開放する。消火器筐体４４の仕切板７７の上部には消火器収納部７４を設け、２本の消火器９４を収納している。
【００７５】
また、仕切板７７の上面には、消火器９４を乗せた場合に所定の収納位置に保持する仕切板等の収納保持部材（図示せず）を設け、消火器９４が落ちないようにしている。
【００７６】
（消火栓装置の裏面構造）
図７は消火栓装置を裏側から示した説明図、図８は点検用スクリーン扉を開放した状態を裏面から示した説明図である。
【００７７】
図７に示すように、消火栓装置１８は、消火栓筐体４２の裏面開口に点検扉として機能する点検用スクリーン扉９８を配置し、また、消火器筐体４４の裏面開口にも同じく点検扉として機能する点検用スクリーン扉１００を配置している。
【００７８】
消火栓筐体４２の裏面開口に設けた点検用スクリーン扉９８は、両側を扉開口９５の内側に位置させた状態でスクリーンを展開してバックル装置１０１で保持することにより扉開口９５を覆って閉鎖し、バックル装置１０１のレバー操作によりスクリーンの保持を解除することにより、スクリーンを落下し、扉開口９５を開放する。
【００７９】
また、消火器筐体４４の裏面開口に設けた点検用スクリーン扉１００は、両側を扉開口９６の内側に位置させた状態でスクリーンを展開してバックル装置１０２で保持することにより扉開口９６を覆って閉鎖し、バックル装置１０２のレバー操作によりスクリーンの保持を解除することにより、スクリーンを落下し、扉開口９６を開放する。
【００８０】
図７に示す消火栓筐体４２に設けた点検用スクリーン扉９８の閉鎖状態でバックル装置１０１のレバーを操作してスクリーンの保持を解除すると、図８に示すように、スクリーンが落下して仕切板７５の下の折畳み部に入って内側に折り畳まれ、点検用スクリーン扉９８が開放する。
【００８１】
点検用スクリーン扉９８を開放した場合のホース収納部７０の点検は、ホースバケット構造７６に内巻きして収納しているホース８０及びノズル８２の状態を目視で点検する。また、バルブ類収納部７２の点検は、給水弁８６、消火栓弁８７、自動調圧弁８８、自動排水弁８９の状態を目視で点検する。また、必要に応じてメンテナンス装置９０の蓋を外してノズル付きの試験ホースを連結し、消火栓弁開閉レバー９２を開操作して放水試験を行い、正常に動作すること点検する。また、筐体前面に設けている図５に示した消火栓扉として機能するスクリーン扉５４の開操作を裏側から行って正常に動くことを確認する。このような点検に必要な作業は、全て消火栓装置１８の裏面から行うことができる。
【００８２】
また、図７に示す消火器筐体４４の裏面開口に設けた点検用スクリーン扉１００の閉鎖状態でバックル装置１０２のレバーを操作してスクリーンの保持を解除すると、図８に示すように、スクリーンが落下して仕切板７７の下の折畳み部に入って内側に折り畳まれ、点検用スクリーン扉１００が開放する。
【００８３】
消火器筐体４４の仕切板７７の上部には２本の消火器９４を収納しており、消火器９４の状態を目視により点検する。また、消火器９４の有効期限が近づいた場合には、古い消火器を取り出して新しい消火器に交換する。
【００８４】
図９はスクリーン扉を開放した状態をホース収納部の横断面により示した断面図である。図９に示すように、消火栓筐体４２の前面開口に設けたスクリーン扉５４及び裏面開口に設けた点検用スクリーン扉９８を開放すると、それぞれのスクリーン１０４，１０６は落下して仕切板７５の下側の折畳み収納部１０５の中に折畳み状態となって収納され、折り畳まれたスクリーン１０４，１０６は外側に飛び出すことがない。
【００８５】
このため点検用スクリーン扉９８を開いてもスクリーン１０６は外側に飛び出さず、点検作業の邪魔にならない。また点検のため前面開口のスクリーン扉５４を開いてもスクリーン１０４は路面側に飛び出すことがなく、トンネル内の車両通行を規制することなく、前面開口のスクリーン扉５４を開閉する点検ができる。
【００８６】
［筐体とスクリーン扉の分割構造］
図１０は消火栓装置の平面から示した説明図、図１１は消火栓装置の前面開口及び裏面開口に対するスクリーン扉の分割構造による組立分解を示した説明図である。
【００８７】
図１０に示すように、消火栓筐体４２の前面開口に設けたスクリーン扉５４と裏面開口に設けた点検用スクリーン扉１００は、図１１に示すように、消火栓筐体４２に対しスクリーン扉５４と点検用スクリーン扉１００を分割し、消火栓筐体４２の前面開口及び裏面開口の各々に取外し自在に設けている。
【００８８】
このような筐体側とスクリーン扉との分割構造により、組立製造段階で筐体とスクリーン扉を個別に製造し、最終的に、筐体の開口にスクリーン扉を組付け固定することで、消火栓装置を完成することができ、製造組立が容易で生産性が高く、製造コストも低減可能とする。
【００８９】
また、設置後に道路に面したスクリーンが汚れたり損傷した場合には、汚れたり損傷したスクリーン扉を筐体から外し、別途準備したスクリーン扉に交換することで、簡単且つ容易に修復可能とする。
【００９０】
［分割した筐体構造］
（筐体収納機器）
図１２は消火栓装置の筐体構造と収納機器を平面断面により示した説明図、図１３は消火栓装置の筐体構造とバルブ類収納部を横断面により示した断面図である。
【００９１】
図１２及び図１３に示すように、スクリーン扉に対し筐体側を分割したことで、消火栓筐体４２については、前面開口及び裏面開口に扉収納部１０８，１１０を設け、前面及び裏面の両方を開口した状態で、仕切板７５の上部のホース収納部７０にホースバケット構造７６を組付け設置し、また、バルブ類収納部７２に給水弁８６、消火栓弁開閉レバー９２を備えた消火栓弁８７、自動調圧弁８８、自動排水弁８９及びメンテナンス装置９０（図６参照）を組付け設置する。このような組付け設置作業は、消火栓筐体４２の前面及び裏面の両側の開口から行うことから、十分な作業スペースが確保でき、作業性が良く、作業効率を高めることができる。
【００９２】
また、消火器筐体４４についても、前面開口及び裏面開口に扉収納部１０９，１１１を設け、前面及び裏面の両方を開口した状態で、図５に示した表側の通報装置扉６２に赤色表示灯６４、発信機６６及び応答ランプ６８を設け、また通報装置扉６２の内側には電話ジャックの取付けと内部の配線作業を行う。この場合にも、消火器筐体４４の前面及び裏面の両側の開口から行うことから、十分な作業スペースが確保でき、作業性が良く、作業効率を高めることができる。
【００９３】
（筐体の分割構造）
図１４は消火栓装置の筐体分割構造とホース収納構造を示した斜視図である。図１４に示すように、消火栓装置の筐体は消火栓筐体４２と消火器筐体４４に分割しており、消火栓筐体４２は下部に仕切板７５を配置し、仕切板７５の下側に折畳み収納部１０５を形成し、仕切板７５の上部にホース収納部７０とバルブ類収納部７２を形成している。また、消火栓筐体４２の折畳み収納部１０５の両側側壁には通線口１４２を形成している。
【００９４】
消火栓筐体４２のホース収納部７０には、パイプフレームにより構成されたホースバケット構造７６を設ける。ホースバケット構造７６は、上下２段の水平方向に配置する横Ｕ字形パイプフレーム１１４ａ、上下の横Ｕ字形パイプフレーム１１４ａを前面側及び奥行側で縦方向に連結する縦Ｕ字形パイプフレーム１１４ｂ、及び前面側に位置する縦Ｕ字形パイプフレーム１１４ｂの間に連結された張出ホースガイド１１３で構成し、更に、前面側の縦Ｕ字形パイプフレーム１１４ｂ、下段の横Ｕ字形パイプフレーム１１４ａ及び張出ホースガイド１１３によって矩形のホース取出口７８を仕切り形成している。
【００９５】
上下２段に水平配置した横Ｕ字形パイプフレーム１１４ａの左側は筐体隔壁に固定し、前面側及び奥行側で縦方向に連結する縦Ｕ字形パイプフレーム１１４ｂの上端（３本のパイプ端）は天井側となる筐体隔壁に固定し、下側は仕切板７５に載せている。また、消火栓筐体４２の左右の側壁下部には通線口１４２を開口している。
【００９６】
消火器筐体４４は下部に仕切板７７を配置し、仕切板７７の下側に折畳み収納部１４０を形成し、仕切板７７の上部に消火器収納部７４を形成している。また、消火器筐体４４は、消火栓筐体４２の左側の通線口１４２に相対する側壁部分に通線口１４４を形成すると共にその上に位置する仕切板７７の端部に切欠１４５を形成し、右内側面には強電用の端子箱１４６と弱電用の端子箱１４８を設置している。
【００９７】
消火栓筐体４２と消火器筐体４４は、一方のねじ穴に対する他方の通し穴を介したボルトのねじ込みで固定している。
【００９８】
［スクリーン扉］
図１５は消火栓筐体の前面開口に設けたスクリーン扉を取り出して示した説明図であり、図１５（Ａ）に裏側を示し、図１５（Ｂ）にＸ−Ｘ断面を示す。図１６はスクリーン扉をスクリーン開放状態として裏側から示した斜視図である。
【００９９】
（スクリーン扉の概要）
図１５（Ａ）に示すスクリーン扉５４は、スクリーン１０４を上に引き上げてバックル装置５８に保持して展開することにより扉開口４８を覆って閉鎖している。スクリーン１０４の裏面には、上端及び下端の各々にガイドバー１１６を設けると共に、その間に等間隔で２本のガイドバー１１６を配置している。ガイドバー１１６は扉枠４６の裏面に配置したガイド部１１５により上下方向に移動可能としている。
【０１００】
４本のガイドバー１１６の間となるスクリーン１０４の裏面には、ウェイトバー１１８を各々配置している。ウェイトバー１１８も扉枠４６の裏面に配置したガイド部１１５により上下方向に移動可能としている。
【０１０１】
図１５（Ｂ）及び図１６に示すように、扉枠４６の裏面に配置したガイド部１１５には、第１ガイドレール１２２と第２ガイドレール１２４を設けている。手前に配置している第１ガイドレール１２２は上下方向にガイド溝を設けた鞘状の部材であり、スクリーン１０４の裏面に設けたガイドバー１１６の両端をガイド溝に嵌め入れて上下方向に案内移動する。
【０１０２】
第１ガイドレール１２２の奥にはガイド溝を形成する隙間を介して第２ガイドレール１２４を配置している。第１ガイドレール１２２と第２ガイドレール１２４の間にはガイド溝として機能する隙間を上下方向に形成している。この第２ガイドレール１２４のガイド溝には、ウェイトバー１１８の両端を内側に屈曲して形成したストッパ部を入れており、第２ガイドレール１２４はウェイトバー１１８を上下方向に案内移動すると共に、スクリーン１０４を展開保持して扉開口４８を閉鎖した状態で、ウェイトバー１１８の前方及び奥行方向への動きを規制するストッパとして機能し、展開したスクリーン１０４をフラットに保ち、従来の金属製の消火栓扉に相当する質感を出せるようにしている。
【０１０３】
スクリーン扉５４のバックル装置５８を操作してスクリーン１０４の展開保持を解除すると、スクリーン１０４はガイドバー１１６及びウェイトバー１１８と共にガイド部１１５に沿って落下し、図１６に示すように、落下したスクリーン１０４は扉開口４８の下部内側に畳み込まれた状態となって扉開口４８を開く。
【０１０４】
扉開口４８の裏面のガイド部１１５に設けたウェイトバー１１８を案内移動する第２ガイドレール１２４は、その下側を切欠することでガイドレール終端を形成しており、このガイドレール終端に続いて内側に湾曲した湾曲ガイドレール１２６を形成している。
【０１０５】
また、湾曲ガイドレール１２６の下側となる扉開口４８の両側には、斜め下向きに張出片１２０を設けている。張出片１２０は上下には動くが奥行方向には動くことがなく、展開したスクリーン１０４の一番下に配置しているウェイトバー１１８が第２ガイドレール１２４のガイド溝からは外れた位置となってフリー状態に置かれることから、図１５（Ａ）に示すように、張出片１２０に一番下のウェイトバー１１８の両側のストッパ部１１８ａを当てて内側への動きを規制し、スクリーン１０４の下部をフラットに保つことを可能にしている。
【０１０６】
また、スクリーン１０４の上端に突出して設けているバックル金具１３０は、扉開口４８の下部内側にスクリーン１０４をガイドバー１１６及びウェイトバー１１８と共に折り畳んだ状態で、後の説明で明らかにする下端のガイドバー１１６の回転構造により外側に回転し、バックル金具１３０をホース引出しの邪魔とならないように、横に倒すようにしている。
【０１０７】
（スクリーンの構造）
図１７はスクリーンを取り出して裏側から示した説明図である。図１７に示すように、スクリーン１０４は不燃性、難燃性又は耐火性のシートを使用しており、シートの表面の色は、扉枠４６と同じ所定の指定色としている。
【０１０８】
スクリーン１０４の裏面の上端、下端、及びその間には、等間隔Ｌでガイドバー１１６を接着固定等により配置し、またガイドバー１１６の間にウェイトバー１１８を同じく接着固定等により配置している。
【０１０９】
ガイドバー１１６及びウェイトバー１１８は、骨組みとして、また、重しとして、スクリーン１０４を展開状態でフラットに張る機能を果たし、スクリーン１０４に皺ができにくいようにしている。
【０１１０】
ガイドバー１１６は上下に扁平な板状の棒状部材であり、また、ウェイトバー１１８も同様に上下に扁平な板状の棒状部材としている。また、ガイドバー１１６及びウェイトバー１１８はその自重によりスクリーン１０４を展開状態に保持し、また開放操作に伴い自然落下してスクリーン１０４を折り畳み状態として扉開口４８を開くことから、十分な重さを確保可能な金属部材とする。
【０１１１】
上端及び下端に配置したガイドバー１１６は両端にローラ１３２を軸支しており、ローラ１３２は図１５及び図１６に示した第１ガイドレール１２２のガイド溝に入って上端及び下端のガイドバー１１６を回転自在に支持している。上下端の間に配置したガイドバー１１６は両端にローラを設けずに、そのまま第１ガイドレール１２２のガイド溝に入れており、先端に丸みをつけて滑らかに移動可能とする。
【０１１２】
ここで、スクリーン１０４の裏面のガイドバー１１６の間に配置したウェイトバー１１８は、上側に隣接するガイドバー１１６との中心間の間隔をＬ１、下側に隣接するガイドバー１１６との中心間の間隔Ｌ２とすると、
Ｌ１＞Ｌ２
となるように配置している。
【０１１３】
即ち、ウェイトバー１１８は、ガイドバー１１６の配置間隔の半分となる中央ではなく、中央から若干下側へオフセットした位置に配置している。
【０１１４】
このようにウェイトバー１１８をガイドバー１１６の間の中央から下側にオフセットして配置することで、スクリーン１０４を下側に移動して開放する場合に、ガイドバー１１６の間のウェイトバー１１８を設けたスクリーン部分の内側への湾曲を、ウェイトバー１１８の重さで付勢し、下降中にガイドバー１１６の間のスクリーン部分が歪んで折れる変形を起こしたり、ガイドバー１１６が斜めに傾いて動きが悪くなることを抑制可能としている。
【０１１５】
スクリーン１０４の上端に配置したガイドバー１１６の略中央にはバックル金具１３０を設け、図１４（Ａ）に示すように、扉開口４８の上部に設けたバックル装置５８にバックル金具１３０に差し込んで保持し、これによりスクリーン１０４を展開状態に支持して扉開口を閉鎖している。
【０１１６】
スクリーン１０４を開放する場合には、バックル装置５８に設けたレバーを手前に引くことで、バックル金具１３０によるスクリーン１０４の保持を解除し、スクリーン１０４をガイドバー１１６及びウェイトバー１１８と共にガイド部に沿って落下させ、落下したスクリーン１０４を扉開口４８の下部内側（図９に示した消火栓筐体４２の折畳み収納部１０５）に折り畳んだ状態として開放する。
【０１１７】
（スクリーンガイド構造）
図１８はスクリーン扉上部のガイド構造を部分的に取り出して示した説明図である。図１８に示すように、スクリーン扉に設けた扉枠４６の裏面には、ガイド溝１３４を上下方向に開口した鞘状の第１ガイドレール１２２を配置しており、ガイド溝１３４の中にスクリーン１０４の上端裏面に配置したガイドバー１１６の両端に軸支したローラ１３２を嵌め入れている。
【０１１８】
第１ガイドレール１２２に続いては奥行方向に所定の隙間を介して第２ガイドレール１２４を配置しており、第１ガイドレール１２２との隙間が第２ガイドレール１２４のガイド溝１３６を形成している。
【０１１９】
第２ガイドレール１２４のガイド溝１３６には、スクリーン１０４の裏面に配置したウェイトバー１１８の両端を内側に屈曲したストッパ部１１８ａが入り、ウェイトバー１１８をガイド溝１３６に沿って上下方向に案内移動させると共に、スクリーン１０４の展開状態でウェイトバー１１８の前方及び奥行方向への動きを規制し、スクリーン１０４をフラットな状態に保つことを可能としている。
【０１２０】
また、ガイドバー１１６及びウェイトバー１１８により上下に移動するスクリーン１０４の両端は、扉枠４６の裏面に位置して前に出ることがなく、このためバックル装置の操作によりスクリーン１０４を落下させた場合、スクリーン１０４は扉開口４８から外側に飛び出すことがなく、確実に扉開口４８の下部の内側に折り畳み状態とすることを可能とする。
【０１２１】
図１９はスクリーン扉下部のガイド構造を部分的に取り出して示した説明図である。図１９に示すように、ウェイトバー１１８を案内移動する第２ガイドレール１２４は、スクリーン１０４の展開状態で、１番下のウェイトバー１１８に至る手前の位置で、斜め下向きに切欠してガイドレール終端１３８を形成しており、ガイドレール終端１３８に続いて下方内側に湾曲ガイドレール１２６を延在している。
【０１２２】
このように第２ガイドレール１２４の下側を終端して、その下側でウェイトバー１１８の奥行方向への規制を解除することで、バックル装置の操作により落下するスクリーン１０４を扉開口４８の下部内側へ折り畳むためにスクリーン１０４が湾曲する動きを妨げないようにしている。
【０１２３】
また、スクリーン１０４の下端に設けたガイドバー１１６は両端に軸支したローラ１３２を第１ガイドレール１２２のガイド溝１３４に入れて回転自在に支持しており、バックル装置の操作によりスクリーン１０４を落下した場合、ローラ１３２により下端のガイドバー１１６を内側に回転し、この動きによりスクリーン１０４を内側に振って扉開口４８の下部内側への折り畳みを確実に開始可能としている。
【０１２４】
また、スクリーン１０４の展開状態で、一番下のウェイトバー１１８はガイドレール終端１３８から外れた下側に位置し、そのままでは奥行方向に動いてしまうフリー状態にあることから、扉枠４６の側面内側に張出片１２０を配置し、張出片１２０にフリーとなっているウェイトバー１１８のストッパ部１１８ａを当接することで、ウェイトバー１１８の奥行方向への動きを規制してフラット性を維持している。張出片１２０としては、上下には屈曲可能で横方向には動かない可撓性のある繊維入りの樹脂シート等を設ける。
【０１２５】
また、第２ガイドレール１２４の終端から延在した湾曲ガイドレール１２６は、扉開口４８の下部内側に折り畳み状態となっているスクリーン１０４を引き上げて閉鎖する場合に、スクリーン１０４の折り畳み状態で下部内側に位置しているウェイトバー１１８を湾曲ガイドレール１２６に当てて案内し、ウェイトバー１１８がガイドレール終端１３８を通って第２ガイドレール１２４のガイド溝１３６に滑らかに入ることを可能にしている。
【０１２６】
（開放操作に伴うスクリーンの動き）
図２０は開放操作によりスクリーンが下降して開放するまでの動きを取り出して模式的に示した説明図である。なお、図２０（Ａ）はガイド部を想像線で示しているが、図２０（Ｂ）〜（Ｅ）はガイド部を省略している。
【０１２７】
図２０（Ａ）はスクリーン１０４を展開した閉鎖状態であり、上端のガイドバー１１６に設けたバックル金具１３０をバックル装置５８に嵌め入れ、スクリーン１０４を展開する位置に保持している。この状態でバックル装置５８のレバーを操作してバックル金具１３０の保持を解除すると、図２０（Ｂ）に示すように、下端のガイドバー１１６を除く残りのガイドバー１１６が第１ガイドレール１２２のガイド溝に沿って一斉に下降を始め、これに伴いウェイトバー１１８も一斉に下降を始め、スクリーン１０４が全体として下降を始める。
【０１２８】
このとき下端のガイドバー１１６は下降せずに停止していることから、その上に隣接するガイドバー１１６の下降に伴って、ガイドバー１１６の間のスクリーン１０４の部分は内側に湾曲を始める。このガイドバー１１６の間となるスクリーン１０４の湾曲部分にはウェイトバー１１８を配置しているため、ウェイトバー１１８の重みによりスクリーン１０４の湾曲部分を押し下げる力が加わり、スクリーン１０４全体としての下降を勢い付ける。
【０１２９】
また、下端のガイドバー１１６はローラ１３２により第１ガイドレール１２２に回転自在に支持しているため、スクリーン１０４の落下に伴い下端のガイドバー１１６は内側に倒れ込むように回転し、これによりガイドバー１１６の間となるスクリーン１０４の部分を内側へ振って湾曲を促進させている。
【０１３０】
続いて図２０（Ｃ）のように、下から２番目のガイドバー１１６が下端のガイドバー１１６に当って停止すると、その上のガイドバー１１６の下降に伴ってスクリーン１０４に２番目の湾曲部分が形成される。以下同様にして、図２０（Ｄ）に示すように、３番目の湾曲部分が形成され、最終的に図２０（Ｅ）に示すように、３つの湾曲部分が重なってスクリーン１０４を折り畳み状態とし、扉開口４８を開放する。
【０１３１】
（消火栓筐体の裏面開口に設けたスクリーン扉）
図７及び図８に示した消火栓筐体４２の裏面開口に設けた点検用スクリーン扉９８は、扉枠の外形が筐体裏面の形状に合せた以外は、図１５乃至図２０に示した消火栓筐体４２の前面開口に設けるスクリーン扉５４と同じになる。
【０１３２】
（消火器筐体に設けたスクリーン扉）
図５及び図６に示した消火器筐体４４の前面開口に設けたスクリーン扉５６、及び、図７及び図８に示した消火器筐体４４の裏面開口に設けた点検用スクリーン扉１００は、扉サイズや扉枠の構成が相違する以外は、図１５乃至図２０に示した消火栓筐体４２の前面開口に設けるスクリーン扉５４と同じ構造になる。
【０１３３】
（スクリーン扉の点検操作機構）
図２１は消火栓扉として機能するスクリーン扉の点検操作機構を示した説明図、図２２は点検操作機構により裏側から操作するバックル装置の扉枠に対する取付構造を示した組立分解図である。
【０１３４】
図２１に示すように、消火栓筐体４２の前面開口に設けたスクリーン扉５４のバックル装置５８は前面にレバー１５０を設けており、スクリーン１０４の上端のガイドバー１１６に設けたバックル金具１３０を保持した状態で、レバー１５０を想像線で示すレバー１５０ａのように手前に操作すると、バックル金具１３０の保持が解除され、スクリーン１０４を落下して開放することができる。
【０１３５】
これに加え本実施形態の消火栓装置は、消火栓装置の背後の点検作業スペースに点検員が入って点検を行う場合に、前面開口に設けているスクリーン扉５４を裏側から開放操作可能とする点検操作機構を設けている。
【０１３６】
この点検操作機構は、スクリーン扉５４に設けたバックル装置５８に相対して消火栓筐体４２の上部内側に一対の支持金具１７６を配置し、支持金具１７６に設けた通し穴１７８に背後から操作ロッド１８０を摺動自在に嵌め入れている。操作ロッド１８０は後端をＬ字形に屈曲して操作部１８０ａを形成し、先端をバックル装置５８の背後の所定位置に相対している。
【０１３７】
また、支持金具１７６の間となる操作ロッド１８０の位置にはストッパリング１８１を嵌着して間にスプリング１８２を入れ、ロッド先端を初期位置に保持している。
【０１３８】
スクリーン扉５４の上部の扉枠４６に対するバックル装置５８の取付けは、例えば図２２に示すようになる。図２２に示すように、バックル装置５８は箱形の本体５８ａに対し下側を軸として下向きに回動自在にレバー１５０を備えており、レバー１５０の上部裏面に相対した本体５８ａの背面に、図２１に示した操作ロッド１８０を挿通するための通し穴１６０を設けている。
【０１３９】
上部に位置する扉枠４６には矩形の取付口１５４を形成し、その背後に取付板１５２を固定し、取付板１５２は裏面上部に取付リブ１５２ａを形成しており、扉枠４６の取付口１５４に合せて取付口１５６を形成している。
【０１４０】
バックル装置５８は取付板１６２を使用して取付ける。取付板１６２は４本のねじ１６６を使用してバックル装置５８の前面に固定する。取付板１６２はバックル装置５８の通し穴１６０に相対して通し穴１６４を設けている。
【０１４１】
取付板１６２に取り付けたバックル装置５８を扉枠４６及び取付板１５２の取付口１５４，１５６に嵌め入れると、取付板１６２の上部両側が取付板１５２の取付リブ１５２ａに押し当てられ、この状態で上側の２箇所をねじ１６８により取付リブ１５２ａのねじ穴にねじ込んで固定する。
【０１４２】
取付板１６２の下側の左右２箇所には、ねじ通し穴を形成しており、取付板１６２を両側から挟むようにナット１７２を入れてねじ１７０を嵌め入れ、ねじ１７０の先端を取付板１５２に当接する。
【０１４３】
バックル装置５８は下側にバックル金具１３０を嵌め入れる挿入口を開口しており、ナット１７２により取付板１５２に当接するねじ１７０の長さを変えることで、バックル装置５８の下側の金具挿入口を最適な位置に調整可能としている。
【０１４４】
点検員によるスクリーン扉５４の裏側からの開放操作は、図２１に示す操作ロッド１８０をスプリング１８２に抗して前方に押し込むと、想像線で示す操作ロッド１８０ａのように、ロッド先端が図２２に示した通し穴１６４，１６０を介してレバー１５０を裏側から押してレバー１５０ａに示すように回動し、これによりバックル金具１３０の保持が解除され、スクリーン１０４を落下して開放することができる。
【０１４５】
また、図２１の点検操作機構は一例であり、簡単な点検操作機構としては、図２２に示すように、バックル装置５８及び取付板１６２に通し穴１６０，１６４を設けるだけでも良い。この場合、点検員は裏側からドライバ等の工具を通し穴１６４，１６０に通し、レバー１５０を裏側から押すことでスクリーン１０４を開放できる。
【０１４６】
また、図２１及び図２２は、消火栓筐体４２の前面開口に設けたスクリーン扉５４の点検操作機構を例にとっているが、図５及び図６に示した消火器筐体４４の前面開口に設けたスクリーン扉５６についても、同様な点検操作機構を設ける。
【０１４７】
［保守扉を備えた消火栓装置］
図２３は消火栓扉として機能するスクリーン扉の上に保守扉を設けた消火栓装置を、スクリーン扉を開放状態として正面から示した説明図である。
【０１４８】
図２３に示すように、消火栓装置１８は、消火栓筐体４２と消火器筐体４４に分割した構造であり、消火栓筐体４２の前面開口に扉枠４６を設け、扉枠４６の扉開口４８の下側に消火栓扉として機能するスクリーン扉５４を設け、扉開口４８の上側には保守扉１８４を設け、その内部をホース収納部及びバルブ類収納部としている。
【０１４９】
スクリーン扉５４は、図５の前面開口の全体を覆って設けたスクリーン扉５４の高さを短くしたものであり、バックル装置５８を保守扉１８４の下端に設けた点を除き、図１５乃至図２２に示したと基本的に同じになる。
【０１５０】
保守扉１８４は、ヒンジ１８６により上向きに開閉し、マグネットと受け板を用いた扉ロック機構により閉止位置に閉じており、消防隊や点検員がスクリーン扉５４を開放して内側のロックを外すことで開くことができ、保守扉１８４の背後に設けている図６に示した給水弁８６の給水栓やポンプ起動釦９１の操作を可能とする。
【０１５１】
このように保守扉１８４は、利用者がスクリーン扉５４を開いても、消防隊の操作時以外には閉じられており、利用者は混乱することなく、ノズル付きホースを引き出して消火栓弁開閉レバー９２を開操作することで消火作業が可能となる。
【０１５２】
また、消火栓装置１８を路面に直接面しているため、消防隊員が保守扉１８４を開いて給水栓に消防ホースを連結して行う放水作業も簡単且つ容易となり、迅速な消防活動を可能とする。
【０１５３】
［点検扉の他の実施形態］
（横開き扉）
図２４は筐体裏面に点検扉として横開き扉を設けた消火栓装置を示した説明図であり、図２４（Ａ）に扉閉鎖状態を示し、図２４（Ｂ）に扉開放状態を示す。
【０１５４】
図２４（Ａ）に示すように、本実施形態の消火栓装置１８は、消火栓筐体４２の裏面開口の扉収納部１１２に２組の横開き扉１８８を設け、また、消火器筐体４４の裏面開口の扉収納部１１４に１組の横開き扉１９０を設けている。
【０１５５】
消火栓装置１８の背後に形成した点検作業スペースに点検員が入って点検を行う場合には、図２４（Ｂ）に示すように、横開き扉１８８の扉板１８８ａ，１８８ｂ、並びに横開き扉１９０の扉板１９０ａ，１９０ｂを開き、開放した裏面から必要な点検を行う。
【０１５６】
ここで、扉板１８８ａ，１８８ｂ，１９０ａ，１９０ｂの横幅は、図４に示した消火栓装置１８の背後の点検作業スペース２２の中に余裕をもって開くことのできる大きさとする。
【０１５７】
このように消火栓装置１８の裏面開口に設ける点検扉として横開き扉１８８，１９０を用いることで、図７及び図８に示した点検用スクリーン扉９８，１００を設ける場合に比べ、点検扉の構成を簡単にしてコストの低減を可能とする。
【０１５８】
（カーテン扉）
図２５は筐体裏面に点検扉として横開きのカーテン扉を設けた消火栓装置を示した説明図であり、図２５（Ａ）に扉閉鎖状態を示し、図２５（Ｂ）に扉開放状態を示す。
【０１５９】
図２５（Ａ）に示すように、本実施形態の消火栓装置１８は、消火栓筐体４２の裏面開口の扉収納部１１２にカーテン扉１９２を設け、また、消火器筐体４４の裏面開口の扉収納部１１４にカーテン扉１９８を設けている。
【０１６０】
カーテン扉１９２は扉収納部１１２の上部にカーテンレール１９４を配置し、そこに開閉自在に２枚のカーテン１９６を吊るし、マグネット等による吸着で展開状態に保持している。カーテン扉１９８も扉収納部１１４の上部にカーテンレール２００を配置し、そこに開閉自在に１枚のカーテン２０２を吊るし、マグネット等による吸着で展開状態に保持している。カーテン１９６、２０２としては、不燃性、難燃性又は耐火性のカーテンを使用する。
【０１６１】
消火栓装置１８の背後に形成した点検作業スペースに点検員が入って点検を行う場合には、図２５（Ｂ）に示すように、カーテン扉１９２の２枚のカーテン１９６を左右に開き、また、カーテン扉１９８の１枚のカーテン２０２を右側に開き、開放した裏面から必要な点検を行う。
【０１６２】
このように消火栓装置１８の裏面開口に設ける点検扉としてカーテン扉１９２，１９８を用いることで、図７及び図８に示した点検用スクリーン扉９８，１００を設ける場合に比べ、点検扉の構成を簡単にしてコストの低減を可能とする。また、カーテン扉１９２，１９８は開放した状態で折り畳まれることから、背後の点検作業スペースにほとんど飛び出すことがなく、点検作業の邪魔にならない。
【０１６３】
（パネル部材）
図２６は裏面に点検扉としてパネル部材を設けた消火栓装置を示した説明図である。
【０１６４】
図２６に示すように、本実施形態の消火栓装置１８は、消火栓筐体４２の裏面開口にパネル部材２０４を設け、また、消火器筐体４４の裏面開口にパネル部材２１４を設けている。
【０１６５】
消火栓筐体４２の裏面開口に設けたパネル部材２０４は中央の左右にハンドル２０６を設け、上部の両端にダルマ穴２０８を形成し、下部両側に丸穴２１０を形成しており、ボルト２１２により消火栓筐体４２の裏面開口に取付固定している。
【０１６６】
消火器筐体４４の裏面開口に設けたパネル部材２１４も同様であり、パネル中央にハンドル２１６を設け、上部の両端にダルマ穴２１８を形成し、下部両側に丸穴２２０を形成しており、ボルト２２２により消火器筐体４４の裏面開口に取付固定している。
【０１６７】
例えばパネル部材２０４の取外しは、丸穴２１０のボルト２１２を外し、ダルマ穴２０８のボルト２１２を緩めた状態で、パネル部材２０４を上に持ち上げてダルマ穴２０８の大径部をボルト頭部の位置に合せて手前に引くことで、簡単に外すことができる。
【０１６８】
このように消火栓装置１８の裏面開口に設ける点検扉としてパネル部材２０４，２１４を設けることで、点検扉の構成を簡単にしてコストの低減を可能とする。
【０１６９】
なお、消火栓筐体４２と消火器筐体４４に対しパネル部材２０４，２１４を別々に設けず、１枚のパネル部材を設けるようにしても良い。また、パネル部材２０４，２１４の取付けは、ボルトに限定されず、パネル部材を着脱自在に取り付ける公知となっている適宜の取付け構造を使用できる。
【０１７０】
（他の点検扉）
図２４、図２５及び図２６に示した横開き扉、カーテン扉、パネル部材以外に、裏面開口には、シートをホック等により固定して閉鎖し、点検する場合には、ホックを外してシートを開くといった簡単な構造としても良い。
【０１７１】
（裏面開口を開放状態とする実施例）
本発明による消火栓装置の他の実施形態として、消火栓装置１８の裏面開口に、前述したスクリーン扉、横開き扉、カーテン扉等の保守扉を設けず、裏面開口を開放したままとしても良い。
【０１７２】
消火栓装置１８の裏面開口を開放したままとしていても、図３及び図４に示したように、消火栓装置１８は監視員通路１６の下の空洞に設けた消火栓収納部２０に設置しているため、開放状態にある裏面開口は外から見えず、また、トンネル内の車両通行に伴う排ガスや塵埃等を直接受けることがなく、裏面開口を開放していても問題はない。
【０１７３】
［本発明の変形例］
（消火栓装置）
上記の実施形態で示した消火栓装置の、例えば筐体に内蔵されるホース類や消火栓弁等のバルブ類、通報装置扉の構成及び配置その他、スクリーン扉以外の構成については任意であり、適宜の構成を採用して良い。要するに、消火栓装置の両側の開口に対し扉を設け、本願の課題の一部又は全部を解決し、或いは若干でも改善するものであれば良い。
【０１７４】
（スクリーン開閉機構）
また、上記の実施形態は、スクリーン扉の展開保持にバックル装置を使用しているが、これ以外に適宜のスクリーン上部を保持すると共に所定の操作で保持を解除する適宜のスクリーン開閉機構を使用しても良い。
【０１７５】
例えば、スクリーン開閉機構として、スクリーンを展開した閉鎖状態に保持するマグネットの吸着を解除してスクリーンを折り畳んで開放状態とする様にしても良い。
【０１７６】
また、スクリーン開閉機構として、スクリーンを展開した閉鎖状態の保持を押し釦の操作により解除してスクリーンを折り畳んで開放状態とするようにしても良い。
【０１７７】
（ホース収納部）
また、消火栓装置は、消火栓筐体のホース収納部の構造として、前面開口及び裏面開口からノズル付きホースを取出し自在に収納する構造としても良い。このため、火災時には前面開口からノズル付きホースを引き出して消火活動を行い、一方、点検時には裏面開口からノズル付きホースを引き出してホース点検を行うことを可能とする。
【０１７８】
このように筐体の前面開口及び裏面開口の両面からホースを引き出し可能な構造とすることで、トンネル内で火災を伴う車両事故が発生し、消火栓装置の前に車両が停止していて操作できない場合には、監視員通路の格子扉を開いて点検作業スペースに入り、裏側の点検扉を開いて裏面開口からホースを引き出して消火活動を行うことができる。
【０１７９】
（スクリーンの上方向、左右方向の折畳み）
上記の実施形態は、スクリーンを下方に折り畳んで開放する場合を例にとっているが、展開状態で開口を覆って閉鎖した前記スクリーンを上方向、右方向又は左方向に折り畳んで開放する構造としてもよい。この場合には、スクリーンの保持を解除した場合に、スクリーンを開放方向に移動させる駆動機構を設けることになる。
【０１８０】
（その他）
また本発明は、その目的と利点を損なうことのない適宜の変形を含み、更に、上記の実施形態に示した数値による限定は受けない。
【０１８１】
［トンネル内消火栓装置の特徴］
ここで、本発明によるトンネル内消火栓装置の特徴をまとめると、次の特徴１〜２２のようになる。
【０１８２】
（特徴１）
本発明のトンネル内消火栓装置は、ノズル付きホースを収納した筐体の前記道路に面した前面開口に開閉自在な消火栓扉を設けると共に前記筐体の裏面開口に開閉自在な点検扉を設けたことを特徴とする。
【０１８３】
（特徴２）
トンネル内消火栓装置に於いて、前記消火栓扉及び点検扉は、両側を開口枠の内側に位置させた状態でスクリーンを展開して保持することにより前記開口を覆って閉鎖し、前記スクリーンの保持を解除することにより前記スクリーンを折り畳んで前記開口を開放するスクリーン扉としたことを特徴とする。
【０１８４】
（特徴３）
特徴１のトンネル内消火栓装置に於いて、前記筐体の前面開口の上側となる上部開口に、上側を軸として上向きに開閉自在な保守扉を設け、前記前面開口の下側となる下部開口に前記消火栓扉を設け、
前記消火栓扉は、両側を開口枠の内側に位置させた状態でスクリーンを展開して保持することにより前記下部開口を覆って閉鎖し、前記スクリーンの保持を解除することにより前記スクリーンを折り畳んで前記下部開口を開放するスクリーン扉としたことを特徴とする。
【０１８５】
（特徴４）
特徴１のトンネル内消火栓装置に於いて、
前記消火栓扉は、両側を開口枠の内側に位置させた状態でスクリーンを展開して保持することにより前記前面開口を覆って閉鎖し、前記スクリーンの保持を解除することにより前記スクリーンを折り畳んで前記前面開口を開放するスクリーン扉とし、
前記点検扉は、横に開閉自在な横開き扉、又は横に開閉自在なカーテン扉としたことを特徴とする。
【０１８６】
（特徴５）
特徴２乃至４の何れかのトンネル内消火栓装置に於いて、前記筐体は、下部横方向に仕切板を配置して下側に前記スクリーンを折り畳み状態に収納するスクリーン収納部を形成し、前記仕板の上側にホース収納部及び消火栓弁を含むバルブ類収納部を形成したことを特徴とする。
【０１８７】
（特徴６）
特徴１のトンネル内消火栓装置に於いて、
前記消火器を収納する消火器筐体を前記筐体に連設し、前記消火器筐体の前記道路に面した前面開口に開閉自在な消火器扉を設けると共に前記筐体の裏面開口に開閉自在な点検扉を設けたことを特徴とする。
【０１８８】
（特徴７）
特徴６のトンネル内消火栓装置に於いて、前記消火器扉は、両側を開口枠の内側に位置させた状態でスクリーンを展開して保持することにより前記開口を覆って閉鎖し、前記スクリーンの保持を解除することにより前記スクリーンを折り畳んで前記開口を開放するスクリーン扉としたことを特徴とする。
【０１８９】
（特徴８）
特徴７のトンネル内消火栓装置に於いて、
前記消火器扉は、両側を開口枠の内側に位置させた状態でスクリーンを展開して保持することにより前記前面開口を覆って閉鎖し、前記スクリーンの保持を解除することにより前記スクリーンを折り畳んで前記前面開口を開放するスクリーン扉とし、
前記点検扉は、横に開閉自在な横開き扉、横に開閉自在なカーテン扉、又は取外し自在な蓋部材としたことを特徴とする。
【０１９０】
（特徴９）
特徴７又は８のトンネル内消火栓装置に於いて、前記消火器筐体は、下部横方向に仕切板を配置して下側に前記スクリーンを折り畳み状態に収納するスクリーン収納部を形成し、前記仕切板の上側に消火器収納部を形成したことを特徴とする。
【０１９１】
（特徴１０）
特徴７又は８のトンネル内消火栓装置に於いて、前記スクリーン扉は、展開状態で開口を覆って閉鎖した前記スクリーンを上方向、下方向、右方向又は左方向に折り畳んで開放する構造としたことを特徴とする。
【０１９２】
（特徴１１）
特徴２、３、４、７又は８の何れかのトンネル内消火栓装置に於いて、
前記筐体に対し前記スクリーン扉を分割し、前記筐体の開口に前記スクリーン扉を取外し自在に設けたことを特徴とする。
【０１９３】
（特徴１２）
特徴２、３、４、７又は８の何れかのトンネル内消火栓装置に於いて、
前記スクリーン扉は、
前記装置本体の開口に取付け固定する扉枠と、
前記スクリーンの裏面の上下両端及びその間に所定間隔で配置した複数本のガイドバー部材と、
前記スクリーンの裏面に配置した前記ガイドバー部材の間に配置した複数本のウェイトバー部材と、
前記扉枠の左右両側の開口枠の内側に配置され、前記スクリーンの左右両側を前記開口枠の内側に位置させた状態で、前記ガイドバー部材の左右両端をガイド溝に摺接して上下方向に案内移動させる第１ガイドレールと、
前記第１ガイドレールの内側に配置され、前記ウェイトバー部材の両端を摺接して奥行方向への動きを規制すると共に上下方向に案内移動させる第２ガイドレールと、
前記スクリーンの上端のガイドバー部材を保持することで前記スクリーンを展開した閉鎖状態に保持し、所定の操作により前記上端のガイドバー部材の保持を解除して前記スクリーンを折り畳んで開放状態とするスクリーン開閉機構と、
を備えたことを特徴とする。
【０１９４】
（特徴１３）
特徴１２のトンネル内消火栓装置に於いて、前記スクリーンの裏面に配置した前記ウェイトバー部材の上側に隣接して配置した前記ガイドバー部材との間隔に対し、前記ウェイトバー部材の下側に隣接して配置した前記ガイドバー部材との間隔を短くしたことを特徴とする。
【０１９５】
（特徴１４）
特徴１２のトンネル内消火栓装置に於いて、
前記スクリーンの裏面に配置した複数のガイドバー部材は矩形断面をもつ板状のバー部材であり、
前記複数のガイドバー部材の内の上下端に配置したガイドバー部材は両端に設けた前記ローラを前記第１ガイドレールのガイド溝に収納して回転自在に支持し、
前記上下端の間に配置したガイドバー部材は両端を前記第１ガイドレールのガイド溝に回転しないように収納したことを特徴とする。
【０１９６】
（特徴１５）
特徴１２のトンネル内消火栓装置に於いて、
前記第２ガイドレールは、前記スクリーンを展開して扉開口を閉鎖した状態で、下から１本目のウェイトバー部材と下から２本目のガイドバー部材との間となる所定位置をガイドレール終端とすると共に、前記ガイドレール終端から内側に湾曲して延在する湾曲ガイドレールを一体に形成し、
前記スクリーンを展開した状態で前記ガイドレール終端を外れた下側に位置するウェイトバー部材の両端の奥行方向への動きを規制する張出片を前記扉枠の内側両端に設けたことを特徴とする。
【０１９７】
（特徴１６）
特徴１２のトンネル内消火栓装置に於いて、前記スクリーン開閉機構は、前記スクリーンの上端のガイドバー部材に上向きにバックル金具（尾錠金具）を設ける共に前記扉枠の上部の開口枠にバックル装置（尾錠装置）を設け、前記バックル金具を前記バックル装置に挿入して保持することで前記スクリーンを展開した閉鎖状態に保持し、前記バックル装置の所定の操作により前記バックル金具の保持を解除して前記スクリーンを折り畳んで開放状態とすることを特徴とする。
【０１９８】
（特徴１７）
特徴１２のトンネル内消火栓装置に於いて、前記スクリーン開閉機構は、前記スクリーンを展開した閉鎖状態に保持するマグネットの吸着を解除して前記スクリーンを折り畳んで開放状態とすることを特徴とする。
【０１９９】
（特徴１８）
特徴１２のトンネル内消火栓装置に於いて、前記スクリーン開閉機構は、前記スクリーンを展開した閉鎖状態の保持を押し釦の操作により解除して前記スクリーンを折り畳んで開放状態とすることを特徴とする。
【０２００】
（特徴１９）
特徴１２のトンネル内消火栓装置に於いて、前記スクリーン開閉機構は、前記裏面開口からの操作により前記スクリーンの保持を解除して前記スクリーンを開放する点検操作機構を備えたことを特徴とする。
【０２０１】
（特徴２０）
特徴２、３、４、７又は８の何れかのトンネル内消火栓装置に於いて、前記スクリーンを不燃性、難燃性又は耐火性としたことを特徴とする。
【０２０２】
（特徴２１）
特徴１のトンネル内消火栓設備に於いて、前記消火栓装置は、前記前面開口及び裏面開口から前記ノズル付きホースを取出し自在に収納したことを特徴とする。
【符号の説明】
【０２０３】
１０：トンネル
１２：トンネル壁面
１４：監視員通路
１４ａ：側壁
１５：手摺り
１６：道路
１８：消火栓装置
２０：消火栓収納部
２２：点検作業スペース
２４：出入口
２６：給水本管
３４：格子蓋
３６：取付口
３８：ダクト
４０：電線管
４２：消火栓筐体
４４：消火器筐体
４６，５０：扉枠
４８，５２，９５，９６：扉開口
５４，５６：スクリーン扉
５８，６０，１０１，１０２：バックル装置
６２：通報装置扉
７０：ホース収納部
７２：バルブ類収納部
７４：消火器収納部
７５，７７：仕切板
７６：ホースバケット構造
７８：ホース取出口
８０：ホース
８２：ノズル
８５：配管接続口
８６：給水弁
８７：消火栓弁
８８：自動調圧弁
８９：自動排水弁
９０：メンテナンス装置
９２：消火栓弁開閉レバー
９４：消火器
９８，１００：点検用スクリーン扉
１０４，１０６：スクリーン
１０５，１４０：折畳み収納部
１１５：ガイド部
１１６：ガイドバー
１１８：ウェイトバー
１１８ａ：ストッパ部
１２０：張出片
１２２：第１ガイドレール
１２４：第２ガイドレール
１２６：湾曲ガイドレール
１３０：バックル金具
１３２：ローラ
１３４，１３６：ガイド溝
１３８：ガイドレール終端
１４２，１４４：通線口
１５０：レバー
１５２，１６２：取付板
１６０，１６４：通し穴
１８０：操作ロッド
１８８，１９０：横開き扉
１９２，１９８：カーテン扉
【図１】
2020099756.tif 000003
【図２】
2020099756.tif 000004
【図３】
2020099756.tif 000005
【図４】
2020099756.tif 000006
【図５】
2020099756.tif 000007
【図６】
2020099756.tif 000008
【図７】
2020099756.tif 000009
【図８】
2020099756.tif 000010
【図９】
2020099756.tif 000011
【図１０】
2020099756.tif 000012
【図１１】
2020099756.tif 000013
【図１２】
2020099756.tif 000014
【図１３】
2020099756.tif 000015
【図１４】
2020099756.tif 000016
【図１５】
2020099756.tif 000017
【図１６】
2020099756.tif 000018
【図１７】
2020099756.tif 000019
【図１８】
2020099756.tif 000020
【図１９】
2020099756.tif 000021
【図２０】
2020099756.tif 000022
【図２１】
2020099756.tif 000023
【図２２】
2020099756.tif 000024
【図２３】
2020099756.tif 000025
【図２４】
2020099756.tif 000026
【図２５】
2020099756.tif 000027
【図２６】
2020099756.tif 000028
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
壁面に設けた凹部に、本体前面が露出するように埋込設置された消火栓装置であって、
前記埋込設置された状態で前記本体前面と反対側の本体背面に点検用開口部を有することを特徴とする消火栓装置。
【請求項２】
請求項１記載の消火栓装置に於いて、
前記本体前面に開閉自在な扉を備えたことを特徴とする消火栓装置。
【請求項３】
請求項１又は２記載の消火栓装置に於いて、
前記消火栓装置は、ホース及び又はバルブを内部に収納し、
前記ホース及び又はバルブは前記点検用開口部を介して点検可能であることを特徴とする消火栓装置。
【請求項４】
消火栓装置の設置方法であって、
本体背面に点検用開口部を有する消火栓装置を、壁面に設けた凹部に、本体前面が露出するように埋込設置し、前記消火栓装置が埋込設置された状態で前記消火栓装置の本体背面と前記凹部の底面との間に作業スペースを設けたことを特徴とする消火栓装置の設置方法。
【請求項５】
消火栓装置の点検実施方法であって、
本体背面に点検用開口部を有する消火栓装置を、壁面に設けた凹部に、本体前面が露出するように埋込設置し、前記消火栓装置が埋込設置された状態で前記消火栓装置の本体背面と前記凹部の底面との間に設けた作業スペースから、前記点検用開口部を介して本体内部を点検することを特徴とする消火栓装置の点検実施方法。
【手続補正２】
【補正対象書類名】明細書
【補正対象項目名】全文
【補正方法】変更
【補正の内容】
【発明の詳細な説明】
【技術分野】
【０００１】
本発明は、収納したノズル付きのホースを引き出して放水する消火栓装置、その設置方法及びその点検実施方法に関する。
【背景技術】
【０００２】
従来、高速道路や自動車専用道路などのトンネル内に設置する消火栓装置は、開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００３】
このような消火栓装置は、トンネル内に設けた監視員通路に面した側壁に沿って例えば５０メートル間隔で設置している。監視員通路は路面に対し１メートル程度高くした側壁通路として設け、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００５】
【特許文献１】特開２００８−０５５０２４号公報
【特許文献２】特開２００９−２８５１２６号公報
【特許文献３】欧州特許出願公開第１２２４９５４号明細書
【特許文献４】特開２００３−１９０３１５号公報
【特許文献５】特開平０８−０８０３５８号公報
【特許文献６】実開平０４−０５１９６４号公報
【発明の概要】
【発明が解決しようとする課題】
【０００６】
しかしながら、このような従来のトンネル内に設置した消火栓装置にあっては、監視員通路に面した側壁に沿って設置していたため、車両事故の発生時に利用者は、路面から監視員通路の側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００７】
この問題を解決するためには、消火栓装置をトンネル内の道路に面した側壁に沿って設置すればよいが、路面に面した側壁に設置した場合には、消火栓扉を開いて消火栓装置を点検する場合に、開放した消火栓扉が道路側に飛び出すため、トンネル内の車両通行を規制しながら点検作業をしなければならないという不都合がある。
【０００８】
本発明は、路面から簡単且つ容易に取り扱うことができ、且つ点検等の際にも車両の通行規制を必要しない消火栓装置その設置方法及びその点検実施方法を提供することを目的とする。
【課題を解決するための手段】
【０００９】
本発明は、壁面に設けた凹部に、本体前面が露出するように埋込設置された消火栓装置であって、
埋込設置された状態で本体前面と反対側の本体背面に点検用開口部を有することを特徴とする。
【００１０】
また、本体前面に開閉自在な扉を備える。
【００１１】
また、本消火栓装置は、ホース及び又はバルブを内部に収納し、
ホース及び又はバルブは点検用開口部を介して点検可能である。
【００１２】
本発明は、消火栓装置の設置方法であって、
本体背面に点検用開口部を有する消火栓装置を、壁面に設けた凹部に、本体前面が露出するように埋込設置し、消火栓装置が埋込設置された状態で消火栓装置の本体背面と凹部の底面との間に作業スペースを設けたことを特徴とする。
【００１３】
本発明は、消火栓装置の点検実施方法であって、
本体背面に点検用開口部を有する消火栓装置を、壁面に設けた凹部に、本体前面が露出するように埋込設置し、消火栓装置が埋込設置された状態で消火栓装置の本体背面と凹部の底面との間に設けた作業スペースから、点検用開口部を介して本体内部を点検することを特徴とする。
【発明の効果】
【００１４】
［消火栓装置の効果］
本発明は、消火栓装置に於いて、トンネル側壁に沿って設けた監視員通路に形成され、道路側に取付口を開口した消火栓収納部と、消火栓収部に埋込設置され、ノズル付きホースを収納した筐体の道路に面した前面開口に開閉自在な消火栓扉を設けると共に筐体の背面開口に開閉自在な点検扉を設けた消火栓装置とを設けるようにしたため、消火栓装置は路面に直接面していることから、火災を伴う車両事故の発生時に、事故車両の運転者等の利用者は、路面から手近にある消火栓扉を開き、ノズル付きホースを引き出して消火を行うことができ、従来の監視員通路の上となるトンネル側壁に設置した消火栓装置に比べ、監視員通路に妨げられることなく消火栓装置を簡単且つ容易に操作することができ、迅速且つ確実に消火作業を行うことを可能とする。
【００１５】
また、消火栓装置を監視員通路に沿ったトンネル側壁に設置せずに、監視員通路の路面側の側壁に埋込設置したことで、消火栓装置から引き出したホースが監視員通路を塞ぐことがないため避難の妨げとならず、迅速且つ安全な避難行動を可能とする。
【００１６】
（消火栓装置背後の点検作業スペースによる効果）
また、消火栓収納部は、消火栓装置を埋込設置した状態でその背後に点検作業スペースを形成し、監視員通路に点検作業スペースに対する出入口を設けるようにしたため、消火栓装置の点検を行う場合には、点検員は監視員通路側に設けた出入口から消火栓装置の背後の点検作業スペースに入り、消火栓装置の背面に設けた点検扉を開いて必要な点検作業を行うことができ、消火栓装置が面している道路側から消火栓扉を開いて点検作業をする必要がなく、従来の監視員通路の上となるトンネル側壁に設置していた場合と同様に、トンネル内の車両通行の規制を必要とすることなく、消火栓装置の点検作業を可能とする。
【００１７】
また、点検作業スペースの出入口に、開閉自在な格子蓋を設けるようにしたため、消火栓装置の点検作業を行う場合に、出入口の場所が直ぐに分かり、また、格子蓋であることから点検作業スペースの外部との換気が常に行われ、滞留ガス等による作業の危険性を解消可能とする。
【００１８】
また、点検作業スペースが狭い場合には、監視員通路に設けた格子蓋を開き、点検作業スペースの外から手を入れて必要な点検作業を行うことを可能とする。
【００１９】
（背面開口からの消火栓扉の開操作による効果）
また、点検扉を開いて背面開口からの操作により消火栓扉の保持を解除して開放する操作機構を設けるようにしたため、点検の際に、背面開口から前面開口の消火栓扉を開操作して、消火栓扉の動きを点検可能とする。
【００２０】
（消火栓扉及び点検扉としてのスクリーン扉による効果）
また、消火栓装置の消火栓扉及び点検扉は、両側を開口枠の内側に位置させた状態でスクリーンを展開して保持することにより開口を覆って閉鎖し、スクリーンの保持を解除することによりスクリーンを折り畳んで開口を開放するスクリーン扉としたため、スクリーンを開放した場合、スクリーンは開口内側の筐体内に折り畳んだ状態となり、スクリーンの折畳み部分が外側に飛び出さないことから、消火栓装置を路面に直接面して設置していても、スクリーン扉の開放によりトンネル内の車両通行を妨げることがなく、また、スクリーンを開放した状態で行うホース引出し等の消火操作を、スクリーンの折畳み部分により妨げられることがなく容易に行うことを可能とする。
【００２１】
一方、点検作業のために消火栓装置の背後の点検作業スペースに点検員が入って点検扉として機能するスクリーン扉を開くと、消火栓装置の背面開口が開放し、消火栓装置の内部に設置しているノズル付きホース、消火栓弁等の機器の点検を行うことが可能となる。この場合、点検のために開放したスクリーンは、背面開口の内側の筐体内に折り畳んだ状態となり、スクリーンの折畳み部分が点検作業スペースに飛び出さないことから、開放したスクリーンは点検の邪魔になることはなく、スペース的に制約された点検作業スペースを有効に利用可能とする。
【００２２】
また、点検の際には、前面開口に設けている消火栓扉として機能するスクリーン扉を開放する点検作業を行うが、前面開口のスクリーン扉を開いても路面へのスクリーンの飛び出しはなく、トンネル内の車両通行を妨げることなく安全にスクリーン扉の開閉動作を確認可能とする。
【００２３】
（保守扉とスクリーン扉）
また、消火栓装置は、筐体の前面開口の上側となる上部開口に、上側を軸として上向きに開閉自在な保守扉を設け、前面開口の下側となる下部開口に消火栓扉を設け、消火栓扉は、両側を開口枠の内側に位置させた状態でスクリーンを展開して保持することにより下部開口を覆って閉鎖し、スクリーンの保持を解除することによりスクリーンを折り畳んで下部開口を開放するスクリーン扉とするようにしたため、消火栓装置を路面に直接面して設置していても、スクリーン扉を開くと利用者の消火作業に必要なノズル付きホースや消火栓弁操作レバーが露出し、一方、消防隊が給水栓を使用するために開く保守扉は閉じているため、利用者は混乱することなく、確実に消火栓装置を使用した消火作業が可能となる。
【００２４】
また、消火栓装置は路面に直接面しているため、消防隊員が保守扉を開いて給水栓に消防ホースを連結して行う放水作業も簡単且つ容易となり、迅速な消防活動を可能とする。
【００２５】
（消火栓扉としてのスクリーン扉とそれ以外の構造の点検扉の効果）
また、消火栓扉は、両側を開口枠の内側に位置させた状態でスクリーンを展開して保持することにより前面開口を覆って閉鎖し、スクリーンの保持を解除することによりスクリーンを折り畳んで前面開口を開放するスクリーン扉とし、点検扉は、横開きの扉、カーテン扉又は取外し自在なパネル部材とすることで、スクリーン扉に比べ点検扉の構造を簡単にしてコストを低減可能とする。
【００２６】
（スクリーンの折畳み収納部）
また、筐体は、下部横方向に仕切板を配置して下側にスクリーンを折り畳み状態に収納するスクリーン収納部を形成し、仕切板の上側にホース収納部及び消火栓弁を含むバルブ類収納部を形成するようにしたため、消火栓装置内に設置しているノズル付きホースや消火栓弁を含むバルブ類の設置に影響されることなく、開放したスクリーンを筐体内に折り畳み状態に収納して外側への飛び出しを無くすことを可能とする。
【００２７】
（消火器筐体の連設による効果）
また、消火器を収納する消火器筐体を筐体に連設し、消火器筐体の道路に面した前面開口に開閉自在な消火器扉を設けると共に筐体の背面開口に開閉自在な点検扉を設けるようにしたため、消火器扉も路面に直接面していることから、火災を伴う車両事故の発生時に、事故車両の運転者等の利用者は、路面側から消火器扉を開き、内部に収納している消火器を取り出して消火作業を行うことが可能となり、従来の監視員通路の上となるトンネル側壁に設置した場合に比べ、監視員通路に妨げられることなく消火器扉に手近にあるので、簡単且つ容易に消火器を取り出して迅速且つ確実な消火作業を行うことを可能とする。
【００２８】
また、定期的に消火器の点検を行う場合には、監視員通路側に設けた出入口から消火栓装置の背後の点検作業スペースに入り、背面に設けた点検扉を開いて消火器の点検や交換といった作業を行うことができ、消火栓装置が面している道路側から消火器扉を開いて作業をする必要がなく、従来の監視員通路の上となるトンネル側壁に設置していた場合と同様に、トンネル内の車両通行の規制を必要とすることなく、消火器の点検や交換等の作業を可能とする。
【００２９】
（消火器扉としてのスクリーン扉の効果）
また、消火器扉及び点検扉は、両側を開口枠の内側に位置させた状態でスクリーンを展開して保持することにより開口を覆って閉鎖し、スクリーンの保持を解除することによりスクリーンを折り畳んで開口を開放するスクリーン扉としたため、スクリーンを開放した場合、スクリーンは開口内側の筐体内に折り畳んだ状態となり、スクリーンの折畳み部分が全く外側に飛び出さないことから、トンネル内の車両通行を妨げることがなく、また、スクリーンを開放した状態で行う消火器の取出しを、スクリーンの折畳み部分により妨げられることがなく容易に行うことを可能とする。
【００３０】
（消火器扉としてのスクリーン扉とそれ以外の構造の点検扉による効果）
また、消火器扉は、両側を開口枠の内側に位置させた状態でスクリーンを展開して保持することにより前面開口を覆って閉鎖し、スクリーンの保持を解除することによりスクリーンを折り畳んで前面開口を開放するスクリーン扉とし、点検扉は、横開きの扉、カーテン扉又は取外し自在な蓋部材とすることで、スクリーン扉に比べ点検扉の構造を簡単にしてコストを低減可能とする。
【００３１】
（スクリーンの折畳み収納部による効果）
また、消火器筐体は、下部横方向に仕切板を配置して下側にスクリーンを折り畳み状態に収納するスクリーン収納部を形成し、仕切板の上側に消火器収納部を形成するようにしたため、消火器の設置に影響されることなく、開放したスクリーンを筐体内に折り畳み状態に収納して外側への飛び出しを無くすことを可能とする。
【００３２】
（スクリーンの上方向、左右方向の折畳みによる効果）
また、スクリーン扉は、展開状態で開口を覆って閉鎖したスクリーンを上方向、右方向又は左方向に折り畳んで開放する構造とすることで、必要に応じてスクリーンを適宜の方向に開放可能とする。
【００３３】
（筐体とスクリーン扉の分割構造による効果）
また、筐体に対しスクリーン扉を分割し、筐体の開口にスクリーン扉を取外し自在に設けるようにしたため、組立製造段階で筐体とスクリーン扉を個別に製造し、最終的に、筐体の開口にスクリーン扉を組付け固定することで、消火栓装置を完成することができ、製造組立が容易で生産性が高く、製造コストも低減可能とする。
【００３４】
また、設置後に道路に面したスクリーンが汚れたり損傷した場合には、汚れたり損傷したスクリーン扉を筐体から外し、別途準備したスクリーン扉に交換することで、簡単且つ容易に修復可能とする。
【００３５】
（スクリーン扉の構造による効果）
また、スクリーン扉は、筐体の開口に取付け固定する扉枠と、スクリーンの背面の上下両端及びその間に所定間隔で配置した複数本のガイドバー部材と、スクリーンの背面に配置したガイドバー部材の間に配置した複数本のウェイトバー部材と、扉枠の左右両側の開口枠の内側に配置され、スクリーンの左右両側を開口枠の内側に位置させた状態で、ガイドバー部材の左右両端をガイド溝に摺接して上下方向に案内移動させる第１ガイドレールと、第１ガイドレールの内側に配置され、ウェイトバー部材の両端を摺接して奥行方向への動きを規制すると共に上下方向に案内移動させる第２ガイドレールと、スクリーンの上端のガイドバー部材を保持することでスクリーンを展開した閉鎖状態に保持し、所定の操作により上端のガイドバー部材の保持を解除してスクリーンを折り畳んで開放状態とするスクリーン開閉機構とを備えるようにしたため、スクリーンの展開状態でスクリーン上端のガイドバー部材の保持を解除して第１ガイドレールに沿ってガイドバー部材を落下させると、スクリーンの両端側は開口枠の内側に位置していることから、ガイドバー部材はその間のスクリーン部分を内側に湾曲しながら落下するようになり、これによりスクリーンを開口下部の内側に折り畳んで開放した状態とし、スクリーン折畳み部分が全く外側に飛び出さないことから、ホース引出し等の消火操作や点検作業がスクリーンの折畳み部分により妨げられることがなく、容易に行うことを可能とする。
【００３６】
また、スクリーンの保持を解除し、ガイドバー部材を第１ガイドレールに沿って落下させる場合、ガイドバー部材の落下に伴うその間のスクリーン部分の内側への湾曲を、ガイドバー部材の間に設けたウェイトバー部材の重みで付勢し、ガイドバー部材の落下に伴い、その間のスクリーン部分の内側への畳み込みを円滑に行うことを可能とする。
【００３７】
また、スクリーンの背面に配置した複数のガイドバー部材の間にウェイトバー部材を配置し、ウェイトバー部材の両端の奥行方向の動きを規制するように第２ガイドレールに当てることで、展開状態に開いたスクリーンにウェイトバー部材の重みにより張り（テンション）を与え、また、ウェイトバー部材の奥行方向への動きを規制することで、展開状態にあるスクリーンの平坦性を高め、従来の横開きする金属製の消火栓扉と同等の質感を出すことを可能とする。
【００３８】
（ガイドバー部材とウェイトバー部材の間隔による効果）
また、スクリーン扉において、スクリーンの背面に配置したウェイトバー部材とその上側に隣接して配置したガイドバー部材との間隔（Ｌ１）に対し、ウェイトバー部材とその下側に隣接して配置したガイドバー部材との間隔（Ｌ２）を短くするようにしたため（Ｌ１＞Ｌ２）、ウェイトバー部材がガイドバー部材の中央ではなく、若干下側にオフセットした位置に配置され、ガイドバー部材の落下に伴いその間のスクリーン部分が内側への湾曲を始めると、ウェイトバー部材は中央より若干下側に配置していることで、その重みによりスクリーンの湾曲を更に強く付勢し、スクリーンの畳み込みを更に円滑に行うことを可能とする。
【００３９】
（上下端のガイドバー部材による効果）
また、スクリーン扉において、スクリーンの背面に配置した複数のガイドバー部材は矩形断面をもつ板状のバー部材であり、複数のガイドバー部材の内の上下端に配置したガイドバー部材は両端に設けたローラを第１ガイドレールのガイド溝に収納して回転自在に支持し、上下端の間に配置したガイドバー部材は両端を第１ガイドレールのガイド溝に回転しないように収納するようにしたため、下端のガイドバーはスクリーンの落下に伴い内側に回転し、スクリーンを扉内側に確実に折り畳み可能とする。
【００４０】
また、上端のガイドバー部材にはスクリーン開閉に使用するバックル金具を設けているが、スクリーンの保持解除により落下して開口下部の内側に折り畳み状態となった場合、上端のガイドバー部材は外側に回転してバックル金具を横向きに倒し、バックル金具が上向きに飛び出してホース引出しの邪魔になることを未然に防止可能とする。
【００４１】
（ウェイトバー部材のガイドレール終端による効果）
また、第２ガイドレールは、スクリーンを展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、スクリーンを展開した状態でガイドレール終端を外れた下側に位置するウェイトバー部材の両端の奥行方向への動きを規制する張出片を扉枠の内側両端に設けるようにしたため、ウェイトバー部材の上下方向の動きを案内する第２ガイドバー部材の下側が途中で終端していることで、落下したスクリーンの内側への畳み込みを滑らかに行うことを可能とする。
【００４２】
また、スクリーンを展開した状態で、ガイドレール終端を外れた下側に位置するウェイトバー部材はフリー状態となるが、フリー状態にあるウェイトバー部材の動きを扉枠の内側両端に設けた張出片に当接することで、展開状態にあるスクリーンの平坦性を高めることを可能とする。
【００４３】
また、扉開口の下部内側に折り畳み状態にあるスクリーンを引き上げてフラットな閉鎖状態に展開する場合、扉開口の下部内側に折り畳まれているスクリーンに設けたウェイトバー部材の両側を、第２ガイドレール終端から内側に延在した湾曲ガイドレールに沿って第２ガイドレールに案内移動し、畳み込み状態となっているスクリーンを円滑にフラットに展開して扉開口を閉鎖可能とする。
【００４４】
（スクリーン開閉機構の効果）
また、スクリーン扉に設けたスクリーン開閉機構は、スクリーンの上端のガイドバー部材に上向きにバックル金具（尾錠金具）を設けると共に扉枠の上部の開口枠にバックル装置（尾錠装置）を設け、バックル金具をバックル装置に挿入して保持することでスクリーンを展開した閉鎖状態に保持し、バックル装置の所定の操作によりバックル金具の保持を解除してスクリーンを折り畳んで開放状態とするようにしたため、バックル装置の例えば操作レバーを手前に引く操作により、バックル金具の保持を解除して展開したスクリーンを落下させて簡単且つ確実にスクリーンを開放して消火活動や点検作業を行うことを可能とする。
【００４５】
また、スクリーン開閉機構は、スクリーンを展開した閉鎖状態に保持するマグネットの吸着を解除してスクリーンを折り畳んで開放状態とするようにしても良い。また、スクリーンを展開した閉鎖状態の保持を押し釦の操作により解除してスクリーンを折り畳んで開放状態とするようにしても良く、閉鎖状態に展開したスクリーンの保持を簡単な操作で解除することで、確実にスクリーンを開放して消火活動や点検作業を行うことを可能とする。
【００４６】
（スクリーン扉の点検操作機構による効果）
また、スクリーン開閉機構は、スクリーンの保持を解除してスクリーンを開放する点検操作機構を備えるようにしたため、消火栓装置を点検する場合に背面開口の点検扉を開き、背面開口側からの操作で、スクリーンの保持を解錠して折畳み状態に開放する点検操作を可能とする。
【００４７】
（両面からのホース取出しによる効果）
また、消火栓装置は、前面開口及び背面開口からノズル付きホースを取出し自在に収納するようにしたため、火災時には前面開口からノズル付きをホースを引き出して消火活動を行い、点検時には背面開口からノズル付きホースを引き出してホース点検を行うことを可能とする。
【００４８】
また、トンネル内で火災を伴う車両事故が発生し、消火栓装置の前に車両が停止していて操作できない場合には、監視員通路の格子扉を開いて点検作業スペースに入り、裏側の点検扉を開いてホースを引き出して消火活動を行うことを可能とする。
【図面の簡単な説明】
【００４９】
【図１】トンネル内に設置した消火栓装置を含む非常設備を示した説明図
【図２】監視員通路の側壁に設置した消火栓装置を示した説明図
【図３】監視員通路の下に形成した消火栓収納部を示した説明図
【図４】監視員通路の下に形成した消火栓収納部を示した断面図
【図５】消火栓装置を正面から示した説明図
【図６】消火栓扉及び消火器扉として機能するスクリーン扉を開放した状態を正面から示した説明図
【図７】消火栓装置を裏側から示した説明図
【図８】点検扉として機能するスクリーン扉を開放した状態を裏側から示した説明図
【図９】スクリーン扉を開放した状態をホース収納部の横断面により示した断面図
【図１０】消火栓装置の平面から示した説明図
【図１１】消火栓装置の前面開口及び背面開口に対するスクリーン扉の分割構造による組立分解を示した説明図
【図１２】消火栓装置の筐体構造と収納機器を平面断面により示した説明図
【図１３】消火栓装置の筐体構造とバルブ類収納構造を横断面により示した断面図
【図１４】消火栓装置の筐体分割構造とホース収納構造を示した斜視図
【図１５】スクリーン扉を取り出して示した説明図
【図１６】スクリーン扉をスクリーン開放状態として裏側から示した斜視図
【図１７】スクリーンを取り出して裏側から示した説明図
【図１８】スクリーン上部のガイド構造を部分的に取り出して示した説明図
【図１９】スクリーン下部のガイド構造を部分的に取り出して示した説明図
【図２０】開放操作によりスクリーンが下降して開放するまでの動きを取り出して模式的に示した説明図
【図２１】消火栓扉として機能するスクリーン扉の点検操作機構を示した説明図
【図２２】点検操作機構により裏側から操作するバックル装置の扉枠に対する取付構造を示した組立分解図
【図２３】消火栓扉として機能するスクリーン扉の上に保守扉を設けた消火栓装置をスクリーン開放状態として正面から示した説明図
【図２４】背面に点検扉として横開き扉を設けた消火栓装置を示した説明図
【図２５】背面に点検扉として横開きのカーテン扉を設けた消火栓装置を示した説明図
【図２６】背面に点検扉としてパネル部材を設けた消火栓装置を示した説明図
【発明を実施するための形態】
【００５０】
［トンネル内消火設備の概要］
図１はトンネル内に設置した消火栓装置を含む非常設備を示した説明図である。図１に示すように、トンネル１０内には蒲鉾状のトンネル壁面１２により覆われた道路１６を設けられており、この例にあっては、道路１６は１方向２車線としている。
【００５１】
道路１６の左側のトンネル壁面１２に沿って監視員通路１４を設けており、監視員通路１４の道路１６側の側壁１４ａに消火栓装置１８を設置している。消火栓装置１８はトンネル長手方向の５０メートルおきに設置する。
【００５２】
監視員通路１４の下は空洞となっており、この空洞を利用して道路１６に面した側壁１４ａに取付口を開口することで消火栓収納部２０を形成し、消火栓収納部２０に道路１６側の取付口から消火栓装置１８を組込み設置している。
【００５３】
消火栓装置１８の背後は点検作業スペース２２となり、この点検作業スペース２２に対し上部となる監視員通路１４に出入口２４を設け、消火栓装置１８を点検する場合に点検員の出入りを可能とし、通常時は、出入口２４には例えば格子蓋により閉鎖している。
【００５４】
また、監視員通路１４の下の空洞の奥には給水本管２６や電線管４０等を敷設したダク
ト３８をトンネル長手方向に形成しており、この例では、ダクト３８は監視員通路１４の下の空洞の一部となっている。
【００５５】
また、監視員通路１４に沿ったトンネル壁面１２には自動弁装置２８を設けており、自動弁装置２８は、トンネル壁面１２の上部に設置された配管から取り出された水噴霧ヘッド３０に対し加圧消火用水を供給する装置であり、トンネル長手方向の５０メートルを放水区画として、各放水区画ごとに自動弁装置２８を設置している。
【００５６】
また、トンネル壁面１２の天井側の両側には、トンネル長手方向に沿って照明灯具３２を一定間隔で配置している。
【００５７】
（消火栓装置の設置構造）
図２は監視員通路の側壁に設置した消火栓装置を示した説明図であり、図２（Ａ）に正面を示し、図２（Ｂ）に平面を示す。図３は監視員通路の下に形成した消火栓収納部を示した説明図であり、図３（Ａ）に一部断面とした正面を示し、図３（Ｂ）に平面から見た断面を示す。図４は監視員通路の下に形成した消火栓収納部に対する消火栓装置の設置状態を示した断面図である。
【００５８】
図２乃至図４に示すように、トンネル壁面１２の長手方向に、所定長さのコンクリートブロックにより作られた側壁１４ａを連続して配置し、その上にコンクリート製の路面板を並べて載せることで監視員通路１４を構築しており、監視員通路１４の下には空洞が形成されている。また、側壁１４ａの上部には手摺り１５を設けている。
【００５９】
監視員通路１４の側壁１４ａには、５０メートル間隔で道路１６側に取付口３６を開口した消火栓収納部２０を形成し、そこに前面が道路１６の路面に直接面するように消火栓装置１８を設置している。
【００６０】
また、監視員通路１４の下の空洞の奥にはダクト３８を形成しており、ダクト３８に給水本管２６や電線管４０等を敷設し、給水本管２６からは給水管３５を分岐して消火栓装置１８に接続している。
【００６１】
消火栓装置１８の裏側の空洞は点検作業スペース２２となり、点検作業スペース２２の上となる監視員通路１４の部分に出入口２４を設け、出入口２４は開閉自在な格子蓋３４により閉鎖しており、消火栓装置１８を点検する場合には想像線で示す格子蓋３４ａのように開いて出入口２４から点検員が点検作業スペース２２の中に入り、消火栓装置１８を背後から点検する。
【００６２】
このため消火栓装置１８の筐体は前面及び背面の両方に開口しており、前面開口には消火栓扉として機能するスクリーン扉を設け、また背面開口には点検扉として機能する点検用スクリーン扉を設けている。これにより点検作業スペース２２に入った点検員は、消火栓装置１８の背面開口に設けた点検用スクリーン扉を開き、筐体内部に設置しているノズル付きホースや消火栓弁を含むバルブ類等の点検を可能とする。
【００６３】
なお、図１乃至図４に示した監視員通路１４及びダクト３８の構造は一例であり、監視員通路の下の空洞と給水本管や電線管を敷設するダクトが別々に仕切られている場合もあるが、少なくとも監視員通路の下側に消火栓装置１８を設置するとともにその背後に点検作業スペースを形成可能なトンネル構造であれば良い。
【００６４】
なお、トンネル構造によっては、点検員が入るに十分な点検作業スペース２２を確保できない場合があるが、その場合には、監視員通路１４に設けた格子蓋３４を開き、点検作業スペース２２の外から点検員が手を入れて必要な点検作業を行うようにすれば良い。この場合には、格子蓋３４を設けている出入口２４に相当する開口を、外部からの点検作業が容易できるように十分な大きさとする。
【００６５】
［消火栓装置の構成］
（消火栓装置の前面構造）
図５は消火栓装置を正面から示した説明図、図６は消火栓扉及び消火器扉として機能するスクリーン扉を開放した状態を正面から示した説明図である。
【００６６】
図５に示すように、消火栓装置１８は、消火栓筐体４２と消火器筐体４４を分割した構造であり、消火栓筐体４２の前面開口に消火栓扉として機能するスクリーン扉５４を配置し、また、消火器筐体４４の前面開口に消火器扉として機能するスクリーン扉５６を配置している。
【００６７】
消火栓筐体４２の前面開口に設けたスクリーン扉５４は、両側を扉枠４６の内側に位置させた状態でスクリーンを展開してバックル装置５８で保持することにより扉開口４８を覆って閉鎖し、バックル装置５８のレバー操作によりスクリーンの保持を解除することにより、スクリーンを落下させ、扉開口４８を開放する。
【００６８】
また、消火器筐体４４の前面開口に設けたスクリーン扉５６は、両側を扉枠５０の内側に位置させた状態でスクリーンを展開してバックル装置６０で保持することにより扉開口５２を覆って閉鎖し、バックル装置６０のレバー操作によりスクリーンの保持を解除することにより、スクリーンを落下させ、扉開口５２を開放する。
【００６９】
左右に設けたスクリーン扉５４，５６の間には通報装置扉６２を設け、ここに赤色表示灯６４、発信機６６及び応答ランプ６８を設け、また通報装置扉６２の内側には電話ジャックを設けている。
【００７０】
赤色表示灯６４は常時点灯し、消火栓装置１８の設置場所が遠方から分かるようにしている。火災時には、発信機６６を押して押し釦スイッチをオンすると、発信信号が監視室の火災受信機に送信されて火災警報が出され、これに伴い応答信号が火災受信機から送られて、応答ランプ６８を点灯する。
【００７１】
図５に示す消火栓筐体４２に設けたスクリーン扉５４の閉鎖状態でバックル装置５８のレバーを操作してスクリーンの保持を解除すると、図６に示すように、スクリーンが落下して仕切板７５の下の折畳み部に入って内側に折り畳まれ、スクリーン扉５４が開放する。
【００７２】
消火栓筐体４２の仕切板７５の上部にはホース収納部７０及びバルブ類収納部７２を設けている。ホース収納部７０にはホースバケット構造７６を設け、ホースバケット構造７６は、バケットフレームの中央から右側にオフセットした位置、即ち扉開口４８の左右方向における略中央となる位置に、ホース取出口７８を仕切り形成するように、水平方向の２本のバケットフレームと縦方向の２本のホースガイドを配置し、ホース取出口７８の下側には、前方に張出し形成した張出ホースガイド１１３を設け、更に、ホース取出口７８の右側に取付板８１を配置している。
【００７３】
ホースバケット構造７６、仕切板７５及び筐体内壁で囲まれたホース収納部７０にはホース８０を内巻きして収納している。ここで、ホース収納部７０へのホース８０の巻き込みは、正面から見て右巻きとなるようにホース８０を巻き込んでいる。
【００７４】
ホース取出口７８及び張出ホースガイド１１３は、ホース８０を引き出す際に内巻きしているホース８０が崩れたり、扉開口４８に擦れてホース８０が損傷したり折れたりすることを防ぐ。特に、張出ホースガイド１１３はホース８０を左方向に引き出す際のホースの急激な折れ曲がりを緩和して滑らかな引き出しを可能とする。
【００７５】
ホース８０の先端にはノズル８２を装着し、ノズル８２は放水部とハンドルで構成しており、取付板８１に設けたホルダ８４に着脱自在に保持している。
【００７６】
ホース収納部７０の右側に形成したバルブ類収納部７２には、ポンプ設備からの配管を接続する配管接続口８５からホース８０に至る配管系統に、給水弁８６、消火栓弁８７、自動調圧弁８８、自動排水弁８９及びメンテナンス装置９０を設けている。このうち消火栓弁８７は消火栓弁開閉レバー９２により開閉操作できるようにしている。また、給水弁８６の手前には消防隊員が使用するポンプ起動釦９１を設けている。
【００７７】
また、図５に示す消火器筐体４４に設けたスクリーン扉５６の閉鎖状態でバックル装置６０のレバーを操作してスクリーンの保持を解除すると、図６に示すように、スクリーンが落下して仕切板７７の下の折畳み部に入って内側に折り畳まれ、スクリーン扉５６が開放する。消火器筐体４４の仕切板７７の上部には消火器収納部７４を設け、２本の消火器９４を収納している。
【００７８】
また、仕切板７７の上面には、消火器９４を乗せた場合に所定の収納位置に保持する仕切板等の収納保持部材（図示せず）を設け、消火器９４が落ちないようにしている。
【００７９】
（消火栓装置の背面構造）
図７は消火栓装置を裏側から示した説明図、図８は点検用スクリーン扉を開放した状態を背面から示した説明図である。
【００８０】
図７に示すように、消火栓装置１８は、消火栓筐体４２の背面開口に点検扉として機能する点検用スクリーン扉９８を配置し、また、消火器筐体４４の背面開口にも同じく点検扉として機能する点検用スクリーン扉１００を配置している。
【００８１】
消火栓筐体４２の背面開口に設けた点検用スクリーン扉９８は、両側を扉開口９５の内側に位置させた状態でスクリーンを展開してバックル装置１０１で保持することにより扉開口９５を覆って閉鎖し、バックル装置１０１のレバー操作によりスクリーンの保持を解除することにより、スクリーンを落下し、扉開口９５を開放する。
【００８２】
また、消火器筐体４４の背面開口に設けた点検用スクリーン扉１００は、両側を扉開口９６の内側に位置させた状態でスクリーンを展開してバックル装置１０２で保持することにより扉開口９６を覆って閉鎖し、バックル装置１０２のレバー操作によりスクリーンの保持を解除することにより、スクリーンを落下し、扉開口９６を開放する。
【００８３】
図７に示す消火栓筐体４２に設けた点検用スクリーン扉９８の閉鎖状態でバックル装置１０１のレバーを操作してスクリーンの保持を解除すると、図８に示すように、スクリーンが落下して仕切板７５の下の折畳み部に入って内側に折り畳まれ、点検用スクリーン扉９８が開放する。
【００８４】
点検用スクリーン扉９８を開放した場合のホース収納部７０の点検は、ホースバケット構造７６に内巻きして収納しているホース８０及びノズル８２の状態を目視で点検する。また、バルブ類収納部７２の点検は、給水弁８６、消火栓弁８７、自動調圧弁８８、自動排水弁８９の状態を目視で点検する。また、必要に応じてメンテナンス装置９０の蓋を外してノズル付きの試験ホースを連結し、消火栓弁開閉レバー９２を開操作して放水試験を行い、正常に動作すること点検する。また、筐体前面に設けている図５に示した消火栓扉として機能するスクリーン扉５４の開操作を裏側から行って正常に動くことを確認する。このような点検に必要な作業は、全て消火栓装置１８の背面から行うことができる。
【００８５】
また、図７に示す消火器筐体４４の背面開口に設けた点検用スクリーン扉１００の閉鎖状態でバックル装置１０２のレバーを操作してスクリーンの保持を解除すると、図８に示すように、スクリーンが落下して仕切板７７の下の折畳み部に入って内側に折り畳まれ、点検用スクリーン扉１００が開放する。
【００８６】
消火器筐体４４の仕切板７７の上部には２本の消火器９４を収納しており、消火器９４の状態を目視により点検する。また、消火器９４の有効期限が近づいた場合には、古い消火器を取り出して新しい消火器に交換する。
【００８７】
図９はスクリーン扉を開放した状態をホース収納部の横断面により示した断面図である。図９に示すように、消火栓筐体４２の前面開口に設けたスクリーン扉５４及び背面開口に設けた点検用スクリーン扉９８を開放すると、それぞれのスクリーン１０４，１０６は落下して仕切板７５の下側の折畳み収納部１０５の中に折畳み状態となって収納され、折り畳まれたスクリーン１０４，１０６は外側に飛び出すことがない。
【００８８】
このため点検用スクリーン扉９８を開いてもスクリーン１０６は外側に飛び出さず、点検作業の邪魔にならない。また点検のため前面開口のスクリーン扉５４を開いてもスクリーン１０４は路面側に飛び出すことがなく、トンネル内の車両通行を規制することなく、前面開口のスクリーン扉５４を開閉する点検ができる。
【００８９】
［筐体とスクリーン扉の分割構造］
図１０は消火栓装置の平面から示した説明図、図１１は消火栓装置の前面開口及び背面開口に対するスクリーン扉の分割構造による組立分解を示した説明図である。
【００９０】
図１０に示すように、消火栓筐体４２の前面開口に設けたスクリーン扉５４と背面開口に設けた点検用スクリーン扉１００は、図１１に示すように、消火栓筐体４２に対しスクリーン扉５４と点検用スクリーン扉１００を分割し、消火栓筐体４２の前面開口及び背面開口の各々に取外し自在に設けている。
【００９１】
このような筐体側とスクリーン扉との分割構造により、組立製造段階で筐体とスクリーン扉を個別に製造し、最終的に、筐体の開口にスクリーン扉を組付け固定することで、消火栓装置を完成することができ、製造組立が容易で生産性が高く、製造コストも低減可能とする。
【００９２】
また、設置後に道路に面したスクリーンが汚れたり損傷した場合には、汚れたり損傷したスクリーン扉を筐体から外し、別途準備したスクリーン扉に交換することで、簡単且つ容易に修復可能とする。
【００９３】
［分割した筐体構造］
（筐体収納機器）
図１２は消火栓装置の筐体構造と収納機器を平面断面により示した説明図、図１３は消火栓装置の筐体構造とバルブ類収納部を横断面により示した断面図である。
【００９４】
図１２及び図１３に示すように、スクリーン扉に対し筐体側を分割したことで、消火栓筐体４２については、前面開口及び背面開口に扉収納部１０８，１１０を設け、前面及び背面の両方を開口した状態で、仕切板７５の上部のホース収納部７０にホースバケット構造７６を組付け設置し、また、バルブ類収納部７２に給水弁８６、消火栓弁開閉レバー９２を備えた消火栓弁８７、自動調圧弁８８、自動排水弁８９及びメンテナンス装置９０（図６参照）を組付け設置する。このような組付け設置作業は、消火栓筐体４２の前面及び背面の両側の開口から行うことから、十分な作業スペースが確保でき、作業性が良く、作業効率を高めることができる。
【００９５】
また、消火器筐体４４についても、前面開口及び背面開口に扉収納部１０９，１１１を設け、前面及び背面の両方を開口した状態で、図５に示した表側の通報装置扉６２に赤色表示灯６４、発信機６６及び応答ランプ６８を設け、また通報装置扉６２の内側には電話ジャックの取付けと内部の配線作業を行う。この場合にも、消火器筐体４４の前面及び背面の両側の開口から行うことから、十分な作業スペースが確保でき、作業性が良く、作業効率を高めることができる。
【００９６】
（筐体の分割構造）
図１４は消火栓装置の筐体分割構造とホース収納構造を示した斜視図である。図１４に示すように、消火栓装置の筐体は消火栓筐体４２と消火器筐体４４に分割しており、消火栓筐体４２は下部に仕切板７５を配置し、仕切板７５の下側に折畳み収納部１０５を形成し、仕切板７５の上部にホース収納部７０とバルブ類収納部７２を形成している。また、消火栓筐体４２の折畳み収納部１０５の両側側壁には通線口１４２を形成している。
【００９７】
消火栓筐体４２のホース収納部７０には、パイプフレームにより構成されたホースバケット構造７６を設ける。ホースバケット構造７６は、上下２段の水平方向に配置する横Ｕ字形パイプフレーム１１４ａ、上下の横Ｕ字形パイプフレーム１１４ａを前面側及び奥行側で縦方向に連結する縦Ｕ字形パイプフレーム１１４ｂ、及び前面側に位置する縦Ｕ字形パイプフレーム１１４ｂの間に連結された張出ホースガイド１１３で構成し、更に、前面側の縦Ｕ字形パイプフレーム１１４ｂ、下段の横Ｕ字形パイプフレーム１１４ａ及び張出ホースガイド１１３によって矩形のホース取出口７８を仕切り形成している。
【００９８】
上下２段に水平配置した横Ｕ字形パイプフレーム１１４ａの左側は筐体隔壁に固定し、前面側及び奥行側で縦方向に連結する縦Ｕ字形パイプフレーム１１４ｂの上端（３本のパイプ端）は天井側となる筐体隔壁に固定し、下側は仕切板７５に載せている。また、消火栓筐体４２の左右の側壁下部には通線口１４２を開口している。
【００９９】
消火器筐体４４は下部に仕切板７７を配置し、仕切板７７の下側に折畳み収納部１４０を形成し、仕切板７７の上部に消火器収納部７４を形成している。また、消火器筐体４４は、消火栓筐体４２の左側の通線口１４２に相対する側壁部分に通線口１４４を形成すると共にその上に位置する仕切板７７の端部に切欠１４５を形成し、右内側面には強電用の端子箱１４６と弱電用の端子箱１４８を設置している。
【０１００】
消火栓筐体４２と消火器筐体４４は、一方のねじ穴に対する他方の通し穴を介したボルトのねじ込みで固定している。
【０１０１】
［スクリーン扉］
図１５は消火栓筐体の前面開口に設けたスクリーン扉を取り出して示した説明図であり、図１５（Ａ）に裏側を示し、図１５（Ｂ）にＸ−Ｘ断面を示す。図１６はスクリーン扉をスクリーン開放状態として裏側から示した斜視図である。
【０１０２】
（スクリーン扉の概要）
図１５（Ａ）に示すスクリーン扉５４は、スクリーン１０４を上に引き上げてバックル装置５８に保持して展開することにより扉開口４８を覆って閉鎖している。スクリーン１０４の背面には、上端及び下端の各々にガイドバー１１６を設けると共に、その間に等間隔で２本のガイドバー１１６を配置している。ガイドバー１１６は扉枠４６の背面に配置したガイド部１１５により上下方向に移動可能としている。
【０１０３】
４本のガイドバー１１６の間となるスクリーン１０４の背面には、ウェイトバー１１８を各々配置している。ウェイトバー１１８も扉枠４６の背面に配置したガイド部１１５により上下方向に移動可能としている。
【０１０４】
図１５（Ｂ）及び図１６に示すように、扉枠４６の背面に配置したガイド部１１５には、第１ガイドレール１２２と第２ガイドレール１２４を設けている。手前に配置している第１ガイドレール１２２は上下方向にガイド溝を設けた鞘状の部材であり、スクリーン１０４の背面に設けたガイドバー１１６の両端をガイド溝に嵌め入れて上下方向に案内移動する。
【０１０５】
第１ガイドレール１２２の奥にはガイド溝を形成する隙間を介して第２ガイドレール１２４を配置している。第１ガイドレール１２２と第２ガイドレール１２４の間にはガイド溝として機能する隙間を上下方向に形成している。この第２ガイドレール１２４のガイド溝には、ウェイトバー１１８の両端を内側に屈曲して形成したストッパ部を入れており、第２ガイドレール１２４はウェイトバー１１８を上下方向に案内移動すると共に、スクリーン１０４を展開保持して扉開口４８を閉鎖した状態で、ウェイトバー１１８の前方及び奥行方向への動きを規制するストッパとして機能し、展開したスクリーン１０４をフラットに保ち、従来の金属製の消火栓扉に相当する質感を出せるようにしている。
【０１０６】
スクリーン扉５４のバックル装置５８を操作してスクリーン１０４の展開保持を解除すると、スクリーン１０４はガイドバー１１６及びウェイトバー１１８と共にガイド部１１５に沿って落下し、図１６に示すように、落下したスクリーン１０４は扉開口４８の下部内側に畳み込まれた状態となって扉開口４８を開く。
【０１０７】
扉開口４８の背面のガイド部１１５に設けたウェイトバー１１８を案内移動する第２ガイドレール１２４は、その下側を切欠することでガイドレール終端を形成しており、このガイドレール終端に続いて内側に湾曲した湾曲ガイドレール１２６を形成している。
【０１０８】
また、湾曲ガイドレール１２６の下側となる扉開口４８の両側には、斜め下向きに張出片１２０を設けている。張出片１２０は上下には動くが奥行方向には動くことがなく、展開したスクリーン１０４の一番下に配置しているウェイトバー１１８が第２ガイドレール１２４のガイド溝からは外れた位置となってフリー状態に置かれることから、図１５（Ａ）に示すように、張出片１２０に一番下のウェイトバー１１８の両側のストッパ部１１８ａを当てて内側への動きを規制し、スクリーン１０４の下部をフラットに保つことを可能にしている。
【０１０９】
また、スクリーン１０４の上端に突出して設けているバックル金具１３０は、扉開口４８の下部内側にスクリーン１０４をガイドバー１１６及びウェイトバー１１８と共に折り畳んだ状態で、後の説明で明らかにする下端のガイドバー１１６の回転構造により外側に回転し、バックル金具１３０をホース引出しの邪魔とならないように、横に倒すようにしている。
【０１１０】
（スクリーンの構造）
図１７はスクリーンを取り出して裏側から示した説明図である。図１７に示すように、スクリーン１０４は不燃性、難燃性又は耐火性のシートを使用しており、シートの表面の色は、扉枠４６と同じ所定の指定色としている。
【０１１１】
スクリーン１０４の背面の上端、下端、及びその間には、等間隔Ｌでガイドバー１１６を接着固定等により配置し、またガイドバー１１６の間にウェイトバー１１８を同じく接着固定等により配置している。
【０１１２】
ガイドバー１１６及びウェイトバー１１８は、骨組みとして、また、重しとして、スクリーン１０４を展開状態でフラットに張る機能を果たし、スクリーン１０４に皺ができにくいようにしている。
【０１１３】
ガイドバー１１６は上下に扁平な板状の棒状部材であり、また、ウェイトバー１１８も同様に上下に扁平な板状の棒状部材としている。また、ガイドバー１１６及びウェイトバー１１８はその自重によりスクリーン１０４を展開状態に保持し、また開放操作に伴い自然落下してスクリーン１０４を折り畳み状態として扉開口４８を開くことから、十分な重さを確保可能な金属部材とする。
【０１１４】
上端及び下端に配置したガイドバー１１６は両端にローラ１３２を軸支しており、ローラ１３２は図１５及び図１６に示した第１ガイドレール１２２のガイド溝に入って上端及び下端のガイドバー１１６を回転自在に支持している。上下端の間に配置したガイドバー１１６は両端にローラを設けずに、そのまま第１ガイドレール１２２のガイド溝に入れており、先端に丸みをつけて滑らかに移動可能とする。
【０１１５】
ここで、スクリーン１０４の背面のガイドバー１１６の間に配置したウェイトバー１１８は、上側に隣接するガイドバー１１６との中心間の間隔をＬ１、下側に隣接するガイドバー１１６との中心間の間隔Ｌ２とすると、
Ｌ１＞Ｌ２
となるように配置している。
【０１１６】
即ち、ウェイトバー１１８は、ガイドバー１１６の配置間隔の半分となる中央ではなく、中央から若干下側へオフセットした位置に配置している。
【０１１７】
このようにウェイトバー１１８をガイドバー１１６の間の中央から下側にオフセットして配置することで、スクリーン１０４を下側に移動して開放する場合に、ガイドバー１１６の間のウェイトバー１１８を設けたスクリーン部分の内側への湾曲を、ウェイトバー１１８の重さで付勢し、下降中にガイドバー１１６の間のスクリーン部分が歪んで折れる変形を起こしたり、ガイドバー１１６が斜めに傾いて動きが悪くなることを抑制可能としている。
【０１１８】
スクリーン１０４の上端に配置したガイドバー１１６の略中央にはバックル金具１３０を設け、図１４（Ａ）に示すように、扉開口４８の上部に設けたバックル装置５８にバックル金具１３０に差し込んで保持し、これによりスクリーン１０４を展開状態に支持して扉開口を閉鎖している。
【０１１９】
スクリーン１０４を開放する場合には、バックル装置５８に設けたレバーを手前に引くことで、バックル金具１３０によるスクリーン１０４の保持を解除し、スクリーン１０４をガイドバー１１６及びウェイトバー１１８と共にガイド部に沿って落下させ、落下したスクリーン１０４を扉開口４８の下部内側（図９に示した消火栓筐体４２の折畳み収納部１０５）に折り畳んだ状態として開放する。
【０１２０】
（スクリーンガイド構造）
図１８はスクリーン扉上部のガイド構造を部分的に取り出して示した説明図である。図１８に示すように、スクリーン扉に設けた扉枠４６の背面には、ガイド溝１３４を上下方向に開口した鞘状の第１ガイドレール１２２を配置しており、ガイド溝１３４の中にスクリーン１０４の上端背面に配置したガイドバー１１６の両端に軸支したローラ１３２を嵌め入れている。
【０１２１】
第１ガイドレール１２２に続いては奥行方向に所定の隙間を介して第２ガイドレール１２４を配置しており、第１ガイドレール１２２との隙間が第２ガイドレール１２４のガイド溝１３６を形成している。
【０１２２】
第２ガイドレール１２４のガイド溝１３６には、スクリーン１０４の背面に配置したウェイトバー１１８の両端を内側に屈曲したストッパ部１１８ａが入り、ウェイトバー１１８をガイド溝１３６に沿って上下方向に案内移動させると共に、スクリーン１０４の展開状態でウェイトバー１１８の前方及び奥行方向への動きを規制し、スクリーン１０４をフラットな状態に保つことを可能としている。
【０１２３】
また、ガイドバー１１６及びウェイトバー１１８により上下に移動するスクリーン１０４の両端は、扉枠４６の背面に位置して前に出ることがなく、このためバックル装置の操作によりスクリーン１０４を落下させた場合、スクリーン１０４は扉開口４８から外側に飛び出すことがなく、確実に扉開口４８の下部の内側に折り畳み状態とすることを可能とする。
【０１２４】
図１９はスクリーン扉下部のガイド構造を部分的に取り出して示した説明図である。図１９に示すように、ウェイトバー１１８を案内移動する第２ガイドレール１２４は、スクリーン１０４の展開状態で、１番下のウェイトバー１１８に至る手前の位置で、斜め下向きに切欠してガイドレール終端１３８を形成しており、ガイドレール終端１３８に続いて下方内側に湾曲ガイドレール１２６を延在している。
【０１２５】
このように第２ガイドレール１２４の下側を終端して、その下側でウェイトバー１１８の奥行方向への規制を解除することで、バックル装置の操作により落下するスクリーン１０４を扉開口４８の下部内側へ折り畳むためにスクリーン１０４が湾曲する動きを妨げないようにしている。
【０１２６】
また、スクリーン１０４の下端に設けたガイドバー１１６は両端に軸支したローラ１３２を第１ガイドレール１２２のガイド溝１３４に入れて回転自在に支持しており、バックル装置の操作によりスクリーン１０４を落下した場合、ローラ１３２により下端のガイドバー１１６を内側に回転し、この動きによりスクリーン１０４を内側に振って扉開口４８の下部内側への折り畳みを確実に開始可能としている。
【０１２７】
また、スクリーン１０４の展開状態で、一番下のウェイトバー１１８はガイドレール終端１３８から外れた下側に位置し、そのままでは奥行方向に動いてしまうフリー状態にあることから、扉枠４６の側面内側に張出片１２０を配置し、張出片１２０にフリーとなっているウェイトバー１１８のストッパ部１１８ａを当接することで、ウェイトバー１１８の奥行方向への動きを規制してフラット性を維持している。張出片１２０としては、上下には屈曲可能で横方向には動かない可撓性のある繊維入りの樹脂シート等を設ける。
【０１２８】
また、第２ガイドレール１２４の終端から延在した湾曲ガイドレール１２６は、扉開口４８の下部内側に折り畳み状態となっているスクリーン１０４を引き上げて閉鎖する場合に、スクリーン１０４の折り畳み状態で下部内側に位置しているウェイトバー１１８を湾曲ガイドレール１２６に当てて案内し、ウェイトバー１１８がガイドレール終端１３８を通って第２ガイドレール１２４のガイド溝１３６に滑らかに入ることを可能にしている。
【０１２９】
（開放操作に伴うスクリーンの動き）
図２０は開放操作によりスクリーンが下降して開放するまでの動きを取り出して模式的に示した説明図である。なお、図２０（Ａ）はガイド部を想像線で示しているが、図２０（Ｂ）〜（Ｅ）はガイド部を省略している。
【０１３０】
図２０（Ａ）はスクリーン１０４を展開した閉鎖状態であり、上端のガイドバー１１６に設けたバックル金具１３０をバックル装置５８に嵌め入れ、スクリーン１０４を展開する位置に保持している。この状態でバックル装置５８のレバーを操作してバックル金具１３０の保持を解除すると、図２０（Ｂ）に示すように、下端のガイドバー１１６を除く残りのガイドバー１１６が第１ガイドレール１２２のガイド溝に沿って一斉に下降を始め、これに伴いウェイトバー１１８も一斉に下降を始め、スクリーン１０４が全体として下降を始める。
【０１３１】
このとき下端のガイドバー１１６は下降せずに停止していることから、その上に隣接するガイドバー１１６の下降に伴って、ガイドバー１１６の間のスクリーン１０４の部分は内側に湾曲を始める。このガイドバー１１６の間となるスクリーン１０４の湾曲部分にはウェイトバー１１８を配置しているため、ウェイトバー１１８の重みによりスクリーン１０４の湾曲部分を押し下げる力が加わり、スクリーン１０４全体としての下降を勢い付ける。
【０１３２】
また、下端のガイドバー１１６はローラ１３２により第１ガイドレール１２２に回転自在に支持しているため、スクリーン１０４の落下に伴い下端のガイドバー１１６は内側に倒れ込むように回転し、これによりガイドバー１１６の間となるスクリーン１０４の部分を内側へ振って湾曲を促進させている。
【０１３３】
続いて図２０（Ｃ）のように、下から２番目のガイドバー１１６が下端のガイドバー１１６に当って停止すると、その上のガイドバー１１６の下降に伴ってスクリーン１０４に２番目の湾曲部分が形成される。以下同様にして、図２０（Ｄ）に示すように、３番目の湾曲部分が形成され、最終的に図２０（Ｅ）に示すように、３つの湾曲部分が重なってスクリーン１０４を折り畳み状態とし、扉開口４８を開放する。
【０１３４】
（消火栓筐体の背面開口に設けたスクリーン扉）
図７及び図８に示した消火栓筐体４２の背面開口に設けた点検用スクリーン扉９８は、扉枠の外形が筐体背面の形状に合せた以外は、図１５乃至図２０に示した消火栓筐体４２の前面開口に設けるスクリーン扉５４と同じになる。
【０１３５】
（消火器筐体に設けたスクリーン扉）
図５及び図６に示した消火器筐体４４の前面開口に設けたスクリーン扉５６、及び、図７及び図８に示した消火器筐体４４の背面開口に設けた点検用スクリーン扉１００は、扉サイズや扉枠の構成が相違する以外は、図１５乃至図２０に示した消火栓筐体４２の前面開口に設けるスクリーン扉５４と同じ構造になる。
【０１３６】
（スクリーン扉の点検操作機構）
図２１は消火栓扉として機能するスクリーン扉の点検操作機構を示した説明図、図２２は点検操作機構により裏側から操作するバックル装置の扉枠に対する取付構造を示した組立分解図である。
【０１３７】
図２１に示すように、消火栓筐体４２の前面開口に設けたスクリーン扉５４のバックル装置５８は前面にレバー１５０を設けており、スクリーン１０４の上端のガイドバー１１６に設けたバックル金具１３０を保持した状態で、レバー１５０を想像線で示すレバー１５０ａのように手前に操作すると、バックル金具１３０の保持が解除され、スクリーン１０４を落下して開放することができる。
【０１３８】
これに加え本実施形態の消火栓装置は、消火栓装置の背後の点検作業スペースに点検員が入って点検を行う場合に、前面開口に設けているスクリーン扉５４を裏側から開放操作可能とする点検操作機構を設けている。
【０１３９】
この点検操作機構は、スクリーン扉５４に設けたバックル装置５８に相対して消火栓筐体４２の上部内側に一対の支持金具１７６を配置し、支持金具１７６に設けた通し穴１７８に背後から操作ロッド１８０を摺動自在に嵌め入れている。操作ロッド１８０は後端をＬ字形に屈曲して操作部１８０ａを形成し、先端をバックル装置５８の背後の所定位置に相対している。
【０１４０】
また、支持金具１７６の間となる操作ロッド１８０の位置にはストッパリング１８１を嵌着して間にスプリング１８２を入れ、ロッド先端を初期位置に保持している。
【０１４１】
スクリーン扉５４の上部の扉枠４６に対するバックル装置５８の取付けは、例えば図２２に示すようになる。図２２に示すように、バックル装置５８は箱形の本体５８ａに対し下側を軸として下向きに回動自在にレバー１５０を備えており、レバー１５０の上部背面に相対した本体５８ａの背面に、図２１に示した操作ロッド１８０を挿通するための通し穴１６０を設けている。
【０１４２】
上部に位置する扉枠４６には矩形の取付口１５４を形成し、その背後に取付板１５２を固定し、取付板１５２は背面上部に取付リブ１５２ａを形成しており、扉枠４６の取付口１５４に合せて取付口１５６を形成している。
【０１４３】
バックル装置５８は取付板１６２を使用して取付ける。取付板１６２は４本のねじ１６６を使用してバックル装置５８の前面に固定する。取付板１６２はバックル装置５８の通し穴１６０に相対して通し穴１６４を設けている。
【０１４４】
取付板１６２に取り付けたバックル装置５８を扉枠４６及び取付板１５２の取付口１５４，１５６に嵌め入れると、取付板１６２の上部両側が取付板１５２の取付リブ１５２ａに押し当てられ、この状態で上側の２箇所をねじ１６８により取付リブ１５２ａのねじ穴にねじ込んで固定する。
【０１４５】
取付板１６２の下側の左右２箇所には、ねじ通し穴を形成しており、取付板１６２を両側から挟むようにナット１７２を入れてねじ１７０を嵌め入れ、ねじ１７０の先端を取付板１５２に当接する。
【０１４６】
バックル装置５８は下側にバックル金具１３０を嵌め入れる挿入口を開口しており、ナット１７２により取付板１５２に当接するねじ１７０の長さを変えることで、バックル装置５８の下側の金具挿入口を最適な位置に調整可能としている。
【０１４７】
点検員によるスクリーン扉５４の裏側からの開放操作は、図２１に示す操作ロッド１８０をスプリング１８２に抗して前方に押し込むと、想像線で示す操作ロッド１８０ａのように、ロッド先端が図２２に示した通し穴１６４，１６０を介してレバー１５０を裏側から押してレバー１５０ａに示すように回動し、これによりバックル金具１３０の保持が解除され、スクリーン１０４を落下して開放することができる。
【０１４８】
また、図２１の点検操作機構は一例であり、簡単な点検操作機構としては、図２２に示すように、バックル装置５８及び取付板１６２に通し穴１６０，１６４を設けるだけでも良い。この場合、点検員は裏側からドライバ等の工具を通し穴１６４，１６０に通し、レバー１５０を裏側から押すことでスクリーン１０４を開放できる。
【０１４９】
また、図２１及び図２２は、消火栓筐体４２の前面開口に設けたスクリーン扉５４の点検操作機構を例にとっているが、図５及び図６に示した消火器筐体４４の前面開口に設けたスクリーン扉５６についても、同様な点検操作機構を設ける。
【０１５０】
［保守扉を備えた消火栓装置］
図２３は消火栓扉として機能するスクリーン扉の上に保守扉を設けた消火栓装置を、スクリーン扉を開放状態として正面から示した説明図である。
【０１５１】
図２３に示すように、消火栓装置１８は、消火栓筐体４２と消火器筐体４４に分割した構造であり、消火栓筐体４２の前面開口に扉枠４６を設け、扉枠４６の扉開口４８の下側に消火栓扉として機能するスクリーン扉５４を設け、扉開口４８の上側には保守扉１８４を設け、その内部をホース収納部及びバルブ類収納部としている。
【０１５２】
スクリーン扉５４は、図５の前面開口の全体を覆って設けたスクリーン扉５４の高さを短くしたものであり、バックル装置５８を保守扉１８４の下端に設けた点を除き、図１５乃至図２２に示したと基本的に同じになる。
【０１５３】
保守扉１８４は、ヒンジ１８６により上向きに開閉し、マグネットと受け板を用いた扉ロック機構により閉止位置に閉じており、消防隊や点検員がスクリーン扉５４を開放して内側のロックを外すことで開くことができ、保守扉１８４の背後に設けている図６に示した給水弁８６の給水栓やポンプ起動釦９１の操作を可能とする。
【０１５４】
このように保守扉１８４は、利用者がスクリーン扉５４を開いても、消防隊の操作時以外には閉じられており、利用者は混乱することなく、ノズル付きホースを引き出して消火栓弁開閉レバー９２を開操作することで消火作業が可能となる。
【０１５５】
また、消火栓装置１８を路面に直接面しているため、消防隊員が保守扉１８４を開いて給水栓に消防ホースを連結して行う放水作業も簡単且つ容易となり、迅速な消防活動を可能とする。
【０１５６】
［点検扉の他の実施形態］
（横開き扉）
図２４は筐体背面に点検扉として横開き扉を設けた消火栓装置を示した説明図であり、図２４（Ａ）に扉閉鎖状態を示し、図２４（Ｂ）に扉開放状態を示す。
【０１５７】
図２４（Ａ）に示すように、本実施形態の消火栓装置１８は、消火栓筐体４２の背面開口の扉収納部１１２に２組の横開き扉１８８を設け、また、消火器筐体４４の背面開口の扉収納部１１４に１組の横開き扉１９０を設けている。
【０１５８】
消火栓装置１８の背後に形成した点検作業スペースに点検員が入って点検を行う場合には、図２４（Ｂ）に示すように、横開き扉１８８の扉板１８８ａ，１８８ｂ、並びに横開き扉１９０の扉板１９０ａ，１９０ｂを開き、開放した背面から必要な点検を行う。
【０１５９】
ここで、扉板１８８ａ，１８８ｂ，１９０ａ，１９０ｂの横幅は、図４に示した消火栓装置１８の背後の点検作業スペース２２の中に余裕をもって開くことのできる大きさとする。
【０１６０】
このように消火栓装置１８の背面開口に設ける点検扉として横開き扉１８８，１９０を用いることで、図７及び図８に示した点検用スクリーン扉９８，１００を設ける場合に比べ、点検扉の構成を簡単にしてコストの低減を可能とする。
【０１６１】
（カーテン扉）
図２５は筐体背面に点検扉として横開きのカーテン扉を設けた消火栓装置を示した説明図であり、図２５（Ａ）に扉閉鎖状態を示し、図２５（Ｂ）に扉開放状態を示す。
【０１６２】
図２５（Ａ）に示すように、本実施形態の消火栓装置１８は、消火栓筐体４２の背面開口の扉収納部１１２にカーテン扉１９２を設け、また、消火器筐体４４の背面開口の扉収納部１１４にカーテン扉１９８を設けている。
【０１６３】
カーテン扉１９２は扉収納部１１２の上部にカーテンレール１９４を配置し、そこに開閉自在に２枚のカーテン１９６を吊るし、マグネット等による吸着で展開状態に保持している。カーテン扉１９８も扉収納部１１４の上部にカーテンレール２００を配置し、そこに開閉自在に１枚のカーテン２０２を吊るし、マグネット等による吸着で展開状態に保持している。カーテン１９６、２０２としては、不燃性、難燃性又は耐火性のカーテンを使用する。
【０１６４】
消火栓装置１８の背後に形成した点検作業スペースに点検員が入って点検を行う場合には、図２５（Ｂ）に示すように、カーテン扉１９２の２枚のカーテン１９６を左右に開き、また、カーテン扉１９８の１枚のカーテン２０２を右側に開き、開放した背面から必要な点検を行う。
【０１６５】
このように消火栓装置１８の背面開口に設ける点検扉としてカーテン扉１９２，１９８を用いることで、図７及び図８に示した点検用スクリーン扉９８，１００を設ける場合に比べ、点検扉の構成を簡単にしてコストの低減を可能とする。また、カーテン扉１９２，１９８は開放した状態で折り畳まれることから、背後の点検作業スペースにほとんど飛び出すことがなく、点検作業の邪魔にならない。
【０１６６】
（パネル部材）
図２６は背面に点検扉としてパネル部材を設けた消火栓装置を示した説明図である。
【０１６７】
図２６に示すように、本実施形態の消火栓装置１８は、消火栓筐体４２の背面開口にパネル部材２０４を設け、また、消火器筐体４４の背面開口にパネル部材２１４を設けている。
【０１６８】
消火栓筐体４２の背面開口に設けたパネル部材２０４は中央の左右にハンドル２０６を設け、上部の両端にダルマ穴２０８を形成し、下部両側に丸穴２１０を形成しており、ボルト２１２により消火栓筐体４２の背面開口に取付固定している。
【０１６９】
消火器筐体４４の背面開口に設けたパネル部材２１４も同様であり、パネル中央にハンドル２１６を設け、上部の両端にダルマ穴２１８を形成し、下部両側に丸穴２２０を形成しており、ボルト２２２により消火器筐体４４の背面開口に取付固定している。
【０１７０】
例えばパネル部材２０４の取外しは、丸穴２１０のボルト２１２を外し、ダルマ穴２０８のボルト２１２を緩めた状態で、パネル部材２０４を上に持ち上げてダルマ穴２０８の大径部をボルト頭部の位置に合せて手前に引くことで、簡単に外すことができる。
【０１７１】
このように消火栓装置１８の背面開口に設ける点検扉としてパネル部材２０４，２１４を設けることで、点検扉の構成を簡単にしてコストの低減を可能とする。
【０１７２】
なお、消火栓筐体４２と消火器筐体４４に対しパネル部材２０４，２１４を別々に設けず、１枚のパネル部材を設けるようにしても良い。また、パネル部材２０４，２１４の取付けは、ボルトに限定されず、パネル部材を着脱自在に取り付ける公知となっている適宜の取付け構造を使用できる。
【０１７３】
（他の点検扉）
図２４、図２５及び図２６に示した横開き扉、カーテン扉、パネル部材以外に、背面開口には、シートをホック等により固定して閉鎖し、点検する場合には、ホックを外してシートを開くといった簡単な構造としても良い。
【０１７４】
（背面開口を開放状態とする実施例）
本発明による消火栓装置の他の実施形態として、消火栓装置１８の背面開口に、前述したスクリーン扉、横開き扉、カーテン扉等の保守扉を設けず、背面開口を開放したままとしても良い。
【０１７５】
消火栓装置１８の背面開口を開放したままとしていても、図３及び図４に示したように、消火栓装置１８は監視員通路１６の下の空洞に設けた消火栓収納部２０に設置しているため、開放状態にある背面開口は外から見えず、また、トンネル内の車両通行に伴う排ガスや塵埃等を直接受けることがなく、背面開口を開放していても問題はない。
【０１７６】
［本発明の変形例］
（消火栓装置）
上記の実施形態で示した消火栓装置の、例えば筐体に内蔵されるホース類や消火栓弁等のバルブ類、通報装置扉の構成及び配置その他、スクリーン扉以外の構成については任意であり、適宜の構成を採用して良い。要するに、消火栓装置の両側の開口に対し扉を設け、本願の課題の一部又は全部を解決し、或いは若干でも改善するものであれば良い。
【０１７７】
（スクリーン開閉機構）
また、上記の実施形態は、スクリーン扉の展開保持にバックル装置を使用しているが、これ以外に適宜のスクリーン上部を保持すると共に所定の操作で保持を解除する適宜のスクリーン開閉機構を使用しても良い。
【０１７８】
例えば、スクリーン開閉機構として、スクリーンを展開した閉鎖状態に保持するマグネットの吸着を解除してスクリーンを折り畳んで開放状態とする様にしても良い。
【０１７９】
また、スクリーン開閉機構として、スクリーンを展開した閉鎖状態の保持を押し釦の操作により解除してスクリーンを折り畳んで開放状態とするようにしても良い。
【０１８０】
（ホース収納部）
また、消火栓装置は、消火栓筐体のホース収納部の構造として、前面開口及び背面開口からノズル付きホースを取出し自在に収納する構造としても良い。このため、火災時には前面開口からノズル付きホースを引き出して消火活動を行い、一方、点検時には背面開口からノズル付きホースを引き出してホース点検を行うことを可能とする。
【０１８１】
このように筐体の前面開口及び背面開口の両面からホースを引き出し可能な構造とすることで、トンネル内で火災を伴う車両事故が発生し、消火栓装置の前に車両が停止していて操作できない場合には、監視員通路の格子扉を開いて点検作業スペースに入り、裏側の点検扉を開いて背面開口からホースを引き出して消火活動を行うことができる。
【０１８２】
（スクリーンの上方向、左右方向の折畳み）
上記の実施形態は、スクリーンを下方に折り畳んで開放する場合を例にとっているが、展開状態で開口を覆って閉鎖した前記スクリーンを上方向、右方向又は左方向に折り畳んで開放する構造としてもよい。この場合には、スクリーンの保持を解除した場合に、スクリーンを開放方向に移動させる駆動機構を設けることになる。
【０１８３】
（その他）
また本発明は、その目的と利点を損なうことのない適宜の変形を含み、更に、上記の実施形態に示した数値による限定は受けない。
【０１８４】
［トンネル内消火栓装置の特徴］
ここで、本発明によるトンネル内消火栓装置の特徴をまとめると、次の特徴１〜２２のようになる。
【０１８５】
（特徴１）
本発明のトンネル内消火栓装置は、ノズル付きホースを収納した筐体の前記道路に面した前面開口に開閉自在な消火栓扉を設けると共に前記筐体の背面開口に開閉自在な点検扉を設けたことを特徴とする。
【０１８６】
（特徴２）
トンネル内消火栓装置に於いて、前記消火栓扉及び点検扉は、両側を開口枠の内側に位置させた状態でスクリーンを展開して保持することにより前記開口を覆って閉鎖し、前記スクリーンの保持を解除することにより前記スクリーンを折り畳んで前記開口を開放するスクリーン扉としたことを特徴とする。
【０１８７】
（特徴３）
特徴１のトンネル内消火栓装置に於いて、前記筐体の前面開口の上側となる上部開口に、上側を軸として上向きに開閉自在な保守扉を設け、前記前面開口の下側となる下部開口に前記消火栓扉を設け、
前記消火栓扉は、両側を開口枠の内側に位置させた状態でスクリーンを展開して保持することにより前記下部開口を覆って閉鎖し、前記スクリーンの保持を解除することにより前記スクリーンを折り畳んで前記下部開口を開放するスクリーン扉としたことを特徴とする。
【０１８８】
（特徴４）
特徴１のトンネル内消火栓装置に於いて、
前記消火栓扉は、両側を開口枠の内側に位置させた状態でスクリーンを展開して保持することにより前記前面開口を覆って閉鎖し、前記スクリーンの保持を解除することにより前記スクリーンを折り畳んで前記前面開口を開放するスクリーン扉とし、
前記点検扉は、横に開閉自在な横開き扉、又は横に開閉自在なカーテン扉としたことを特徴とする。
【０１８９】
（特徴５）
特徴２乃至４の何れかのトンネル内消火栓装置に於いて、前記筐体は、下部横方向に仕切板を配置して下側に前記スクリーンを折り畳み状態に収納するスクリーン収納部を形成し、前記仕板の上側にホース収納部及び消火栓弁を含むバルブ類収納部を形成したことを特徴とする。
【０１９０】
（特徴６）
特徴１のトンネル内消火栓装置に於いて、
前記消火器を収納する消火器筐体を前記筐体に連設し、前記消火器筐体の前記道路に面した前面開口に開閉自在な消火器扉を設けると共に前記筐体の背面開口に開閉自在な点検扉を設けたことを特徴とする。
【０１９１】
（特徴７）
特徴６のトンネル内消火栓装置に於いて、前記消火器扉は、両側を開口枠の内側に位置させた状態でスクリーンを展開して保持することにより前記開口を覆って閉鎖し、前記スクリーンの保持を解除することにより前記スクリーンを折り畳んで前記開口を開放するスクリーン扉としたことを特徴とする。
【０１９２】
（特徴８）
特徴７のトンネル内消火栓装置に於いて、
前記消火器扉は、両側を開口枠の内側に位置させた状態でスクリーンを展開して保持することにより前記前面開口を覆って閉鎖し、前記スクリーンの保持を解除することにより前記スクリーンを折り畳んで前記前面開口を開放するスクリーン扉とし、
前記点検扉は、横に開閉自在な横開き扉、横に開閉自在なカーテン扉、又は取外し自在な蓋部材としたことを特徴とする。
【０１９３】
（特徴９）
特徴７又は８のトンネル内消火栓装置に於いて、前記消火器筐体は、下部横方向に仕切板を配置して下側に前記スクリーンを折り畳み状態に収納するスクリーン収納部を形成し、前記仕切板の上側に消火器収納部を形成したことを特徴とする。
【０１９４】
（特徴１０）
特徴７又は８のトンネル内消火栓装置に於いて、前記スクリーン扉は、展開状態で開口を覆って閉鎖した前記スクリーンを上方向、下方向、右方向又は左方向に折り畳んで開放する構造としたことを特徴とする。
【０１９５】
（特徴１１）
特徴２、３、４、７又は８の何れかのトンネル内消火栓装置に於いて、
前記筐体に対し前記スクリーン扉を分割し、前記筐体の開口に前記スクリーン扉を取外し自在に設けたことを特徴とする。
【０１９６】
（特徴１２）
特徴２、３、４、７又は８の何れかのトンネル内消火栓装置に於いて、
前記スクリーン扉は、
前記装置本体の開口に取付け固定する扉枠と、
前記スクリーンの背面の上下両端及びその間に所定間隔で配置した複数本のガイドバー部材と、
前記スクリーンの背面に配置した前記ガイドバー部材の間に配置した複数本のウェイトバー部材と、
前記扉枠の左右両側の開口枠の内側に配置され、前記スクリーンの左右両側を前記開口枠の内側に位置させた状態で、前記ガイドバー部材の左右両端をガイド溝に摺接して上下方向に案内移動させる第１ガイドレールと、
前記第１ガイドレールの内側に配置され、前記ウェイトバー部材の両端を摺接して奥行方向への動きを規制すると共に上下方向に案内移動させる第２ガイドレールと、
前記スクリーンの上端のガイドバー部材を保持することで前記スクリーンを展開した閉鎖状態に保持し、所定の操作により前記上端のガイドバー部材の保持を解除して前記スクリーンを折り畳んで開放状態とするスクリーン開閉機構と、
を備えたことを特徴とする。
【０１９７】
（特徴１３）
特徴１２のトンネル内消火栓装置に於いて、前記スクリーンの背面に配置した前記ウェイトバー部材の上側に隣接して配置した前記ガイドバー部材との間隔に対し、前記ウェイトバー部材の下側に隣接して配置した前記ガイドバー部材との間隔を短くしたことを特徴とする。
【０１９８】
（特徴１４）
特徴１２のトンネル内消火栓装置に於いて、
前記スクリーンの背面に配置した複数のガイドバー部材は矩形断面をもつ板状のバー部材であり、
前記複数のガイドバー部材の内の上下端に配置したガイドバー部材は両端に設けた前記ローラを前記第１ガイドレールのガイド溝に収納して回転自在に支持し、
前記上下端の間に配置したガイドバー部材は両端を前記第１ガイドレールのガイド溝に回転しないように収納したことを特徴とする。
【０１９９】
（特徴１５）
特徴１２のトンネル内消火栓装置に於いて、
前記第２ガイドレールは、前記スクリーンを展開して扉開口を閉鎖した状態で、下から１本目のウェイトバー部材と下から２本目のガイドバー部材との間となる所定位置をガイドレール終端とすると共に、前記ガイドレール終端から内側に湾曲して延在する湾曲ガイドレールを一体に形成し、
前記スクリーンを展開した状態で前記ガイドレール終端を外れた下側に位置するウェイトバー部材の両端の奥行方向への動きを規制する張出片を前記扉枠の内側両端に設けたことを特徴とする。
【０２００】
（特徴１６）
特徴１２のトンネル内消火栓装置に於いて、前記スクリーン開閉機構は、前記スクリーンの上端のガイドバー部材に上向きにバックル金具（尾錠金具）を設ける共に前記扉枠の上部の開口枠にバックル装置（尾錠装置）を設け、前記バックル金具を前記バックル装置に挿入して保持することで前記スクリーンを展開した閉鎖状態に保持し、前記バックル装置の所定の操作により前記バックル金具の保持を解除して前記スクリーンを折り畳んで開放状態とすることを特徴とする。
【０２０１】
（特徴１７）
特徴１２のトンネル内消火栓装置に於いて、前記スクリーン開閉機構は、前記スクリーンを展開した閉鎖状態に保持するマグネットの吸着を解除して前記スクリーンを折り畳んで開放状態とすることを特徴とする。
【０２０２】
（特徴１８）
特徴１２のトンネル内消火栓装置に於いて、前記スクリーン開閉機構は、前記スクリーンを展開した閉鎖状態の保持を押し釦の操作により解除して前記スクリーンを折り畳んで開放状態とすることを特徴とする。
【０２０３】
（特徴１９）
特徴１２のトンネル内消火栓装置に於いて、前記スクリーン開閉機構は、前記背面開口からの操作により前記スクリーンの保持を解除して前記スクリーンを開放する点検操作機構を備えたことを特徴とする。
【０２０４】
（特徴２０）
特徴２、３、４、７又は８の何れかのトンネル内消火栓装置に於いて、前記スクリーンを不燃性、難燃性又は耐火性としたことを特徴とする。
【０２０５】
（特徴２１）
特徴１のトンネル内消火栓設備に於いて、前記消火栓装置は、前記前面開口及び背面開口から前記ノズル付きホースを取出し自在に収納したことを特徴とする。
【符号の説明】
【０２０６】
１０：トンネル
１２：トンネル壁面
１４：監視員通路
１４ａ：側壁
１５：手摺り
１６：道路
１８：消火栓装置
２０：消火栓収納部
２２：点検作業スペース
２４：出入口
２６：給水本管
３４：格子蓋
３６：取付口
３８：ダクト
４０：電線管
４２：消火栓筐体
４４：消火器筐体
４６，５０：扉枠
４８，５２，９５，９６：扉開口
５４，５６：スクリーン扉
５８，６０，１０１，１０２：バックル装置
６２：通報装置扉
７０：ホース収納部
７２：バルブ類収納部
７４：消火器収納部
７５，７７：仕切板
７６：ホースバケット構造
７８：ホース取出口
８０：ホース
８２：ノズル
８５：配管接続口
８６：給水弁
８７：消火栓弁
８８：自動調圧弁
８９：自動排水弁
９０：メンテナンス装置
９２：消火栓弁開閉レバー
９４：消火器
９８，１００：点検用スクリーン扉
１０４，１０６：スクリーン
１０５，１４０：折畳み収納部
１１５：ガイド部
１１６：ガイドバー
１１８：ウェイトバー
１１８ａ：ストッパ部
１２０：張出片
１２２：第１ガイドレール
１２４：第２ガイドレール
１２６：湾曲ガイドレール
１３０：バックル金具
１３２：ローラ
１３４，１３６：ガイド溝
１３８：ガイドレール終端
１４２，１４４：通線口
１５０：レバー
１５２，１６２：取付板
１６０，１６４：通し穴
１８０：操作ロッド
１８８，１９０：横開き扉
１９２，１９８：カーテン扉